(57)【要約】【課題】遊技盤と変動表示装置を別構成にした遊技機において、機種ごとに異なる遊技盤の形状に変動表示装置が対応できるようにする。【解決手段】遊技盤１を前面枠１２０（前面枠本体１３０）に対して着脱可能に配設するとともに、表示ユニット１７０を前面枠１２０における遊技盤１の裏面側に配設し、遊技盤１を交換した際に新たな遊技盤１の表示部１２に対応した画像表示に変更可能として、表示ユニット１７０を再利用可能とする。また、表示ユニット１７０と遊技盤１を別構成として表示ユニット１７０を容易に取り外せるようにし、表示ユニット１７０を再利用可能とする。また、表示ユニット１７０を支持手段２２０により前後移動可能に支持し、かつ、付勢手段により前方側に付勢された状態とし、新たな遊技盤を装着する際や遊技盤１の装着後裏面構成部材１６０を閉鎖する際に、遊技盤の形状（裏面の突出量）の変化を吸収可能とする。【選択図】図５
2006231021.tif 000002
【特許請求の範囲】
【請求項１】
遊技領域を形成する遊技盤を前面枠に対して着脱可能に配設し、該遊技盤前面の所要領域において遊技に関わる表示ゲームを表示するようにした遊技機において、
前記前面枠における前記遊技盤の後方位置に配設され、前記表示ゲームを実行する表示ユニットと、
前記表示ユニットを前後に移動可能に前記前面枠側に支持するとともに、前記遊技盤を前面枠に装着した際に該遊技盤の裏面端部と該表示ユニットの表示面が当接するように当該表示ユニットを支持する支持手段と、
前記表示ユニットを前方側に付勢する付勢手段と、
を備え、
前記支持手段は、
前記前面枠に設けられた上下方向の回動軸に対して軸着された第１の支持部材と、
前記表示ユニットに設けられた上下方向の回動軸に対して軸着された第２の支持部材と、
を備えるとともに該第１の支持部材と第２の支持部材を回動可能に連結して構成され、
前記支持手段を少なくとも前記表示ユニットの左右方向の側部を支持可能に複数設けたことを特徴とする遊技機。
【請求項２】
前記付勢手段として、付勢バネを前記表示ユニットの略中央部を押圧する位置に設けたことを特徴とする請求項１に記載の遊技機。
【請求項３】
前記遊技盤は、
前記表示ゲームが表示される表示部を形成するための表示用開口部を有する遊技盤本体と、
前記表示用開口部に挿入されて取り付けられるとともに前記表示部の周囲を装飾する装飾部が形成される表示部構成部材と、
を設け、
前記表示部構成部材の後端部は前記遊技盤本体の裏面よりも後方側に突出して構成されるとともに、当該後端部が前記表示ユニットの前面に当接することを特徴とする請求項１または請求項２に記載の遊技機。
【請求項４】
前記前面枠の左右方向一方側に、前記遊技盤を係止する係止部材を配設する一方、他方側に該遊技盤を固定する固定部材を設けて、該遊技盤を該前面枠の前方側から装着するように構成して、該遊技盤の一方端を前記係止部材に係止させた状態で、他方端側を前記固定部材で固定可能な位置まで後方に回動させることで、当該遊技盤を前記前面枠に装着するようにし、
前記遊技盤の装着時の動作に応じて、前記表示ユニットが前記前面枠の左右方向と非平行状態で変位可能としたことを特徴とする請求項１から請求項３のいずれか一項に記載の遊技機。
【請求項５】
前記前面枠は、当該前面枠の裏面側に前記第１の支持部材が軸着される前記回動軸を有する裏面構成部材を有し、
前記裏面構成部材は、前記前面枠裏面の左右方向一側部に軸着される一方、他側部に着脱可能に固定されることで、該前面枠に対して片開き形式で開閉可能に構成され、
前記裏面構成部材の閉鎖時の動作に応じて、前記表示ユニットが該裏面構成部材の左右方向と非平行状態で変位可能としたことを特徴とする請求項１から請求項４のいずれか一項に記載の遊技機。
【請求項６】
前記裏面構成部材の裏面側には、前記表示ユニットを駆動するための制御装置が設けられていることを特徴とする請求項５に記載の遊技機。
【発明の詳細な説明】
【技術分野】
【０００１】
本発明は、遊技領域を形成する遊技盤を前面枠に対して着脱可能に配設し、該遊技盤前面の所要領域において遊技に関わる表示ゲームを表示するようにした遊技機に関する。
【背景技術】
【０００２】
従来、遊技領域を形成する遊技盤を本体枠（前面枠）に着脱自在に装着するようにした遊技機が知られている。遊技盤には複数の識別情報を変動表示可能な変動表示装置が備えられ各機種固有の画像を表示し、また、遊技盤には各機種固有の装飾部材やセル板が設けられている。最近では、前記変動表示装置として液晶表示装置等を設けることが増えている。
そして、遊技機の機種を変更する際には、遊技機全体を交換せずに、遊技盤のみを交換することも可能であるが、従来の遊技機の場合には、遊技盤に変動表示装置が取り付けられていることから、遊技盤の交換の際には比較的高価な変動表示装置も交換することとなっている。
また、変動表示装置を本体枠側に配設して遊技盤と変動表示装置（液晶表示器）を別構成にすることで、遊技盤を交換する際でも、変動表示装置をそのまま本体枠側に残せるようにした遊技機も考えられている（例えば、特許文献１参照）。
【特許文献１】特開２００３−３２００９４号公報
【発明の開示】
【発明が解決しようとする課題】
【０００３】
しかしながら、従来の遊技機においては、変動表示装置は本体枠側に配設されるが、本体枠に固定されて（移動できない状態で）配設されている。
遊技盤は、機種毎に様々な形状を有することから、従来のように変動表示装置が固定されていると、遊技盤から後方側に突出した部位があった場合に、遊技盤の後端部と変動表示装置が接触して、本体枠に装着できない遊技盤が発生したり、或いは、遊技盤と変動表示装置の表示面との間に比較的大きな隙間が形成されてしまうような遊技盤が発生してしまい変動表示装置での表示態様に支障がでてしまったりする可能性もある。
【０００４】
本発明の課題は、遊技盤と変動表示装置を別構成にした遊技機において、機種ごとに異なる遊技盤の形状に変動表示装置が対応できるようにすることである。
【課題を解決するための手段】
【０００５】
以上の課題を解決するため、請求項１に記載の発明は、遊技領域を形成する遊技盤を前面枠に対して着脱可能に配設し、該遊技盤前面の所要領域において遊技に関わる表示ゲームを表示するようにした遊技機において、
前記前面枠における前記遊技盤の後方位置に配設され、前記表示ゲームを実行する表示ユニットと、
前記表示ユニットを前後に移動可能に前記前面枠側に支持するとともに、前記遊技盤を前面枠に装着した際に該遊技盤の裏面端部と該表示ユニットの表示面が当接するように当該表示ユニットを支持する支持手段と、
前記表示ユニットを前方側に付勢する付勢手段と、
を備え、
前記支持手段は、
前記前面枠に設けられた上下方向の回動軸に対して軸着された第１の支持部材と、
前記表示ユニットに設けられた上下方向の回動軸に対して軸着された第２の支持部材と、
を備えるとともに該第１の支持部材と第２の支持部材を回動可能に連結して構成され、
前記支持手段を少なくとも前記表示ユニットの左右方向の側部を支持可能に複数設けたことを特徴とする。
【０００６】
ここで、「遊技領域」とは、遊技盤の表面に形成されて遊技球が流下する領域のことである。
また、「遊技盤前面の所要領域」は、遊技盤に形成された開口部で構成されていてもよいし、遊技盤を透明な合成樹脂で成形してその一部分（或いは全面）で構成されていてもよい。
また、「遊技盤の裏面端部」は、遊技盤の裏面側で最も後方に突出している部位で、遊技盤自体（遊技盤本体）で形成されている部位であってもよいし、遊技盤本体に取り付けられる機構体で形成されている部位であってもよい。
なお、「遊技盤」とは、後述する表示部構成部材などの機構体を、取付用のベースとなる遊技盤本体に取り付けたものを指す。
また、「遊技盤を前面枠に装着した際」とは、装着時ではなく、装着した後のことを示している。すなわち、遊技盤の前面枠への装着と、表示ユニットの所定位置への配設の順番は問わない。したがって、遊技盤の装着方向（方法）は限定していない。
【０００７】
このように、遊技盤が前面枠に対し着脱可能であって、前面枠における遊技盤の後方位置に表示ユニットを設けたので、遊技盤を交換する場合でも、表示ユニットは交換する必要がないので、表示ユニットを新たな遊技盤でも使用できるといった効果を奏する。また、遊技機の入れ替え時に遊技機全体を交換する場合でも、表示ユニットは遊技盤と別構成であるので、表示ユニットを簡単に取り外せることから、表示ユニットを再利用する際にも効果的である。
また、表示ユニットの表示面の範囲内であれば、表示ゲームを表示する遊技盤前面の所要領域の面積が異なる遊技盤にも対応でき、多種の遊技盤を入れ替えることができる。
【０００８】
また、表示ユニットは支持手段によって、前後移動可能に支持され、かつ、付勢手段によって前方側に付勢された状態となっているので、新たな遊技盤を装着する際、或いは遊技盤の装着後裏面構成部材を閉鎖する際に、遊技盤の形状（裏面の突出量）が変化しても、表示ユニットの前後動でそれを吸収することができ、新たな遊技盤が装着できなかったり、或いは裏面構成部材を閉鎖できなかったりするといった課題を解決できる。
さらに支持手段は、表示ユニットの左右方向の側部を支持可能に複数設けられているので、表示ユニットが前面枠の左右方向と非平行状態で移動することも可能となり、遊技盤の装着時等で押圧部が中央部位からずれた位置となった場合でもその力を吸収でき、何ら問題なく遊技盤を装着できる。
また、前面枠側に表示ユニットを移動させるためのガイド等を設ける必要がなく、構成を簡略化できる。なお、前面枠側に表示ユニットを支持、案内するためのガイド等を設けてもよく、このようにすれば、表示ユニットの前後移動がより容易かつ確実なものとなる。
【０００９】
請求項２に記載の発明は、請求項１に記載の遊技機であって、前記付勢手段として、付勢ばねを前記表示ユニットの略中央部を押圧する位置に設けたことを特徴とする。
【００１０】
このように、付勢ばねを表示ユニットの略中央部を押圧する位置に設けたことで、確実に表示ユニットを付勢することができる。また、遊技盤の装着時等で押圧部が中央部位からずれた位置となった場合でも、その力を左右方向に効率よく逃がすことができ何ら問題なく遊技盤を装着できる。
【００１１】
請求項３に記載の発明は、請求項１または請求項２に記載の遊技機であって、前記遊技盤は、
前記表示ゲームが表示される表示部を形成するための表示用開口部を有する遊技盤本体と、
前記表示用開口部に挿入されて取り付けられるとともに前記表示部の周囲を装飾する装飾部が形成される表示部構成部材と、
を設け、
前記表示部構成部材の後端部は前記遊技盤本体の裏面よりも後方側に突出して構成されるとともに、当該後端部が前記表示ユニットの前面に当接することを特徴とする。
【００１２】
このように、表示部を形成する表示部構成部材の後端部が遊技盤本体の裏面よりも後方側に突出して構成されるとともに、当該後端部が表示ユニットの前面に当接するので、表示画面の前側に筒状の空間を形成でき、例えば、ここに装飾を施したり遊技球を転動させるステージ部を形成したりすることができる。
なお、上述したように表示ユニットが前後移動可能であることで遊技盤の表示部構成部材の形状（大きさや後方突出量）がどのように変化しても、遊技盤を前面枠に確実に装着することができるし、装着時にも表示部構成部材と表示ユニットの表示面との隙間をなくすことができる。特に、最近の遊技機においては、表示部構成部材に形成されるステージ部が遊技機の機種により様々に変化することが多く、このステージ部の変化により表示部構成部材が遊技盤の後方側に突出する突出量が大きく変化する可能性がある。このような表示部構成部材の後方側突出量の変化に関しても何ら問題なく、対応することができる。
【００１３】
請求項４に記載の発明は、請求項１から請求項３のいずれか一項に記載の遊技機であって、前記前面枠の左右方向一方側に、前記遊技盤を係止する係止部材を配設する一方、他方側に該遊技盤を固定する固定部材を設けて、該遊技盤を該前面枠の前方側から装着するように構成して、該遊技盤の一方端を前記係止部材に係止させた状態で、他方端側を前記固定部材で固定可能な位置まで後方に回動させることで、当該遊技盤を前記前面枠に装着するようにし、
前記遊技盤の装着時の動作に応じて、前記表示ユニットが前記前面枠の左右方向と非平行状態で変位可能としたことを特徴とする。
【００１４】
このように、遊技盤の一方端を係止部材に係止させた状態で、他方端側を固定部材で固定可能な位置まで後方に回動させることで、当該遊技盤を前記前面枠に装着するようにしたことで、容易かつ確実に遊技盤を前面枠に装着することができる。
なお、このように遊技盤の一端を先に係止して他端側を回動させるように装着する構成であると、装着時においては表示ユニットの面に対して力（遊技盤裏面部からの力）が均等に加わらなかったり、遊技盤の裏面部の後方側への突出量が更に大きくなったりする（装着時に一瞬だけ大きくなる）可能性があったり、押圧部が中央部からずれる可能性が高まったりする。しかし、上述のように表示ユニットが前後移動可能であり、かつ、非平行状態で移動することも可能であることで、このような場合でも、何ら問題なく遊技盤を装着することが可能となる。
【００１５】
請求項５に記載の発明は、請求項１から請求項４のいずれか一項に記載の遊技機であって、前記前面枠は、当該前面枠の裏面側に前記第１の支持部材が軸着される前記回動軸を有する裏面構成部材を有し、
前記裏面構成部材は、前記前面枠裏面の左右方向一側部に軸着される一方、他側部に着脱可能に固定されることで、該前面枠に対して片開き形式で開閉可能に構成され、
前記裏面構成部材の閉鎖時の動作に応じて、前記表示ユニットが該裏面構成部材の左右方向と非平行状態で変位可能としたことを特徴とする。
【００１６】
ここで、「着脱可能に固定」とは、例えば、ネジ止めによる固定やワンタッチ固定具による固定などである。
【００１７】
このように、裏面構成部材は、前面枠に対して片開き形式で開閉可能に構成され、裏面構成部材の閉鎖時の動作に応じて、表示ユニットが裏面構成部材の左右方向と非平行状態で変位可能であるので、何ら問題なく裏面構成部材を閉鎖することができる。
ここで、表示ユニットが裏面構成部材の左右方向に平行状態でのみ変位可能であるとすると、裏面構成部材の閉鎖時において、表示ユニットの前方側の中央からずれた位置に力が加わった場合に、表示ユニットをスライドさせるのに大きな力が必要となり、その大きな力により表示部構成部材や表示ユニットが故障する虞がある。
特に、裏面構成部材は、一側部が軸着された片開き形式であるため、これを閉鎖する際には、表示ユニットの面に対して力（遊技盤裏面部からの力）が表示ユニットの前方側の中央からずれた位置に加わる場合があるが、このような場合でも表示ユニットは裏面構成部材の左右方向と非平行状態で変位できるので、裏面構成部材の閉鎖時に大きな力が必要となったり、閉鎖時に発生する力で遊技盤裏面の接触する部材や表示ユニットが故障してしまったりするなどの問題が生じず、何ら問題なく裏面構成部材を閉鎖することが可能となる。
【００１８】
請求項６に記載の発明は、請求項５に記載の遊技機であって、前記裏面構成部材の裏面側には、前記表示ユニットを駆動するための制御装置が設けられていることを特徴とする。
【００１９】
このように、裏面構成部材の裏面側には、表示ユニットを駆動するための制御装置が設けられていることで、裏面構成部材に設けられた表示ユニットに対して制御装置を効率よく配設することができる。
【発明の効果】
【００２０】
本発明によれば、表示ユニットは遊技盤と別構成であるので、遊技盤を交換する場合でも、表示ユニットは交換する必要がなく、表示ユニットを新たな遊技盤でも使用できる。また、遊技機の入れ替え時に遊技機全体を交換する場合でも、表示ユニットを簡単に取り外すことができ、再利用することができる。さらに、表示ユニットの表示面の範囲内であれば、表示ゲームを表示する遊技盤前面の所要領域の面積が異なる遊技盤にも対応でき、多種の遊技盤を入れ替えることができる。
また、表示ユニットは支持手段によって、前後移動可能に支持され、かつ、付勢手段によって前方側に付勢された状態となっているので、新たな遊技盤を装着する際、或いは遊技盤の装着後裏面構成部材を閉鎖する際に、遊技盤の形状（裏面の突出量）が変化しても、表示ユニットの前後動でそれを吸収することができ、多種の遊技盤に対応することができる。
さらに支持手段は、表示ユニットを前面枠の左右方向と非平行状態で移動可能に支持しており、遊技盤の装着時等で押圧部が中央部位からずれた位置となった場合でもその力を吸収でき、何ら問題なく遊技盤を装着できる。
また、前面枠側に表示ユニットを支持、案内するためのガイド等を設ける必要がなく、構成を簡略化できる。
【発明を実施するための最良の形態】
【００２１】
以下、この発明の第１の実施形態について図面を参照して説明する。
ここでは、本発明にかかる遊技機の適例としてのパチンコ遊技機について図１から図１３を参照して説明を行う。
【００２２】
図１から図３に示すように、本実施形態の遊技機１００は、矩形枠状に構成された機枠１１０を備え、この機枠１１０の一側方には、該機枠１１０に対し回動可能に矩形枠状の前面枠１２０が軸支されている。また、前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０（開閉枠）と、前面枠本体１３０の前面のクリア部材保持枠１４０の下側に取り付けられた発射操作ユニット１５０と、前面枠本体１３０の裏面側に回動可能に軸支され、表示ユニット１７０を備える裏面構成部材１６０とを有する。
【００２３】
前面枠本体１３０は、矩形枠状の機枠１１０内にちょうど収まるように、概略矩形板状に構成されるとともに、その中央から上端部に渡る部分に後述する遊技盤１を嵌め込んで収容するための方形状の開口部（遊技盤収容部）１３１が形成されている。そして、前面枠本体１３０に収容された遊技盤１の前面が前面枠本体１３０の開口部１３１から前側に臨むようになっている。すなわち遊技盤１は、前面枠本体１３０に嵌め込まれることで前面枠１２０に取り付けられている。
【００２４】
また、前面枠本体１３０の遊技盤１が嵌め込まれた開口部１３１、すなわち、前面枠本体１３０の中央より少し下側から上端部にわたる部分には、前面枠本体１３０の前側を覆うように前記クリア部材保持枠１４０が配置されており、遊技盤１の前面と前記クリア部材保持枠１４０に嵌め込まれたクリア部材としてのガラス板１４１との間で、遊技盤１の前面に設けられたガイドレール２に囲まれた部分が、遊技球が発射されて流下する遊技領域１ａとされている。
【００２５】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の遊技領域１ａの前側を開放可能となっている。
クリア部材保持枠１４０には、前面枠本体１３０の開口部１３１をほぼ閉塞するように、該開口部１３１に嵌め込まれた遊技盤１との間に遊技球が流下可能な遊技領域１ａとなる間隔を開けて二重のクリア部材（ガラス板）１４１が固定されている。そして、クリア部材保持枠１４０において、遊技機１００の前側からガラス板１４１を介して遊技盤１の前面側の少なくとも遊技領域１ａの部分が視認可能となっている。
【００２６】
また、クリア部材保持枠１４０の前面側には、遊技領域１ａの視認を妨げない位置に、図１に示すように、枠装飾３９としての枠装飾ランプ９，９が設けられており、遊技状態に対応して点灯、点滅、発光色の変更等の演出を行うようになっている。
【００２７】
また、前面枠本体１３０の前面側のクリア部材保持枠１４０の下側には、発射操作ユニット１５０が取り付けられている。
発射操作ユニット１５０は、左右側部のうちの一側部となる左側部を前面枠本体１３０に軸着されて、左右方向に回動して開閉自在な開閉パネル１５０ａとその下の下部パネル１５０ｂとからなる。開閉パネル１５０ａは、排出された遊技球を貯留するとともに、遊技球を発射する発射装置（図示略）に遊技球を送る上皿１５３を有している。また、開閉パネル１５０ａの下側の下部パネル１５０ｂには、上皿１５３に収容しきれない遊技球を収容する下皿１５４及び灰皿１５５と、遊技領域１ａに向けての遊技球の発射操作を行うとともに、該遊技領域１ａに遊技球を発射する際の発射勢を調節するための操作ハンドル１５１、音声を出力するスピーカ１５２などが設けられている。
【００２８】
また、前面枠本体１３０の裏面側であって、遊技盤１が嵌め込まれた開口部１３１の上端部から中央より少し下側にわたる部分には、前面枠本体１３０の裏面側を覆うように裏面構成部材１６０が配置されている。
図５に示すように、裏面構成部材１６０の前面の左側の端部は、前面枠本体１３０の裏面であって遊技機１００の裏面側から見て右側の側部に設けられた取付部材１３２に回動可能に軸支されて扉状に開閉自在とされ、裏面構成部材１６０を開くことにより、遊技盤１の裏面側の上部を開放可能となっている。
また、前面枠本体１３０に形成された開口部１３１には、図２，１１に示すように、遊技盤１を開口部１３１内に固定するための規制壁１３３、係止部材１３４、固定部材１３５、位置決め部材１３６が設けられている。
【００２９】
その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００３０】
開口部１３１に嵌め込まれる遊技盤１は、木製の遊技盤本体１０の前面に略円形に配されたガイドレール２で囲まれた遊技領域１ａを有し、この遊技領域１ａ内に遊技球（打球；遊技媒体）を発射して遊技を行うようになっている。なお、遊技盤本体１０は木製のものに限られず、例えば、合成樹脂製のものであっても良い。
遊技領域１ａ内には、普図始動ゲート３、この普図始動ゲート３を遊技球が通過して普図変動表示ゲームが未処理となっている未処理回数を表示する普図始動記憶表示器（図示略）、普通図柄（普図）の変動表示ゲームを表示する普図変動表示器（図示略）が設けられている。また、普通変動入賞装置７と、この普通変動入賞装置７に遊技球が入賞して特図変動表示ゲームが未処理となっている未処理回数を点灯表示する特図始動記憶表示器（図示略）、特別図柄（特図、識別情報）の変動表示ゲームの表示領域となる表示部１２を形成する表示部構成部材１１、特別変動入賞装置６、盤装飾３８としての盤装飾ランプ２０、一般入賞口（図示略）、風車と呼ばれる打球方向変換部材（図示略）、多数の障害釘（図示略）などが設けられている。
【００３１】
普図始動ゲート３内には、該普図始動ゲート３を通過した遊技球を検出するためのゲートセンサ（図示略）が設けられている。そして、遊技領域１ａ内に打ち込まれた遊技球が、普図始動ゲート３内を通過すると、図示しない普図変動表示器において普図の変動表示ゲームが行われる。ここで、普図変動表示器は、例えば、ＬＥＤなどによって構成され、普通図柄（例えば、数字、記号、キャラクタ図柄など）の変動表示ゲームは、普図変動表示器の点灯状態を所定時間変動表示させた後、停止表示させることにより行うようになっている。なお、特図の変動表示ゲームの表示領域の一部で普図変動表示ゲームを表示するようにしても良い。この普図の変動表示ゲームの結果、普図変動表示器における停止表示が特別の結果態様となれば、普図の当たりとなって、普通変動入賞装置７の開閉部材７ａが所定時間（例えば、０.５秒間）後述のように開放される。これにより、普通変動入賞装置７に遊技球が入賞しやすくなり、特図の変動表示ゲームの始動が容易となる。
【００３２】
普通変動入賞装置７は左右一対の開閉部材７ａを具備し、この開閉部材７ａは、常時は遊技球が１個流入可能な程度の間隔で閉じた状態（遊技者にとって不利な状態）を保持しているが、普図変動表示器の普図変動表示ゲームの結果が所定の停止表示態様（例えば、「７」）となった場合には、逆「ハ」の字状に開いて普通変動入賞装置７に遊技球が流入し易い状態（遊技者にとって有利な状態）に変化されるようになっている。
この普通変動入賞装置７は、特図の始動入賞口も兼ねている。すなわち、普通変動入賞装置７の内部（入賞領域）に備えられた始動口センサ（図示略）により遊技球を検出することに基づき始動条件が成立し、特図の変動表示ゲームが開始されるようになっている。
【００３３】
図２、図５に示すように、遊技領域１ａの略中央部には、特図の変動表示ゲームの表示領域となる表示部１２を形成する表示部構成部材１１が取り付けられている。
表示部構成部材１１は、断面が複雑な曲線となった筒状の部材であって、筒状の空間が延在する方向が遊技盤１の前後方向に沿うように、遊技盤１の略中央部に形成された表示用開口部１３に挿入された状態で取り付けられている。なお、表示用開口部１３は、断面が複雑な曲線となった表示部構成部材１１の断面形状に合わせて形成されている。
【００３４】
表示部構成部材１１の前端面であって表示部１２の周囲となる部分には、この部分を装飾する装飾部２１が形成されているとともに、盤装飾３８としての盤装飾ランプ２０が設けられている。また、表示部構成部材１１を遊技盤１に固定するための取付部１４が形成されている。また、表示部構成部材１１の内周面のうち下側となる部分は、遊技球が転動可能なステージ部１５となっている。表示部構成部材１１の後部は、遊技盤の裏面よりも後方に突出しており、その後端部１６は、遊技盤１の裏面で最も後方に突出した裏面端部となっていて、後述する裏面構成部材１６０に取り付けられた表示ユニット１７０の前面が接するようになっている。これによって、筒状の表示部構成部材１１の開口部である表示部１２を介して、表示ユニット１７０の画像表示面１７１の表示を遊技盤１の前面側から見ることができるようになっている。なお、後述するように画像表示面１７１の面積は表示部１２の面積よりも十分広くなっており、画像表示面１７１上の表示は表示部１２が配された領域のみで行われるように制御されている。また、表示部構成部材１１の後端部１６に、ゴム等の軟性部材を備えて画像表示面１７１に傷がついたり、汚れたりするのを防止するようにしても良い。
【００３５】
そして、遊技領域１ａ内に打ち込まれた遊技球が特図の始動口を兼ねる普通変動入賞装置７へ進入して始動条件が成立することに基づき、表示部１２にて複数種類の識別情報（例えば、数字、記号、キャラクタ図柄など）を変動表示させる特別図柄の変動表示ゲームを実行可能となっている。なお、特図の変動表示ゲームは、画像表示面１７１において、複数種類の識別情報を所定時間変動表示させることにより行う。
そして、この特図の変動表示ゲームの結果として、画像表示面１７１の表示態様が特別結果態様（例えば、「７，７，７」等のゾロ目数字の何れか）となった場合には、大当たりとなって特別遊技状態（いわゆる、大当たり状態）となる。
【００３６】
以上のことから、遊技盤１は、表示ゲームが表示される表示部１２を形成するための表示用開口部１３を有する遊技盤本体１０と、表示用開口部１３に挿入されて取り付けられるとともに表示部１２の周囲を装飾する装飾部２１が形成される表示部構成部材１１と、を設け、表示部構成部材１１の後端部１６は遊技盤本体１０の裏面よりも後方側に突出して構成されるとともに、当該後端部１６が表示ユニット１７０の前面に当接することとなる。
【００３７】
特別変動入賞装置６は、上端側が手前側に倒れる方向に回動して開放可能になっているアタッカ形式の開閉扉６ａによって開閉される大入賞口６ｂを備えていて、特別遊技状態中は、大入賞口６ｂを閉じた状態から開いた状態に変換することにより大入賞口６ｂ内への遊技球の流入を容易にさせる。なお、開閉扉６ａは、例えば、ソレノイドのような駆動装置により駆動される。また、大入賞口６ｂの内部（入賞領域）には、該大入賞口６ｂに入った遊技球を検出するための大入賞口用センサ（図示略）が配設されている。
【００３８】
また、遊技領域１ａに設けられた各一般入賞口（図示略）には、一般入賞口に入った遊技球を検出するための一般入賞センサ（図示略）が配設されている。そして、遊技を開始することにより遊技領域１ａ内に打ち込まれた遊技球が、一般入賞口、始動入賞口（普通変動入賞装置７）、大入賞口６ｂ等の入賞口の何れかに入賞すると、それぞれの入賞口に対応した所定数の賞球としての遊技球が排出装置１９０によって上皿１５３に排出される（払い出される）ようになっている。
【００３９】
また、遊技盤本体１０の前面であって、遊技領域１ａを区画するガイドレール２の外側となる部分には、周囲構成部材１７が取り付けられている。そして、図１１に示すように、周囲構成部材１７の前面であって、遊技盤１の前面側から見て左側の端部には、後述する係止部材１３４の先端部が当接する矩形状の凹部である係止受部１８が形成されている。また、周囲構成部材１７の前面であって、遊技盤１の前面側から見て右側の端部および上辺の右側には、後述する固定部材１３５が当接する段部である固定部材受部１９が形成されている。
【００４０】
遊技盤１は、前面枠本体１３０に形成された開口部１３１に対して、遊技機１００の前面側から着脱可能に嵌め込まれて固定されている。すなわち、前面枠１２０に対して着脱可能に配設されているが、図２，５，６，１１に示すように、開口部１３１には開口部１３１内の所定位置に遊技盤１を固定する部材として、規制壁１３３および係止部材１３４、固定部材１３５、位置決め部材１３６が設けられている。
規制壁１３３は、開口部１３１の内面に対して垂直に開口部１３１の中心方向に延出する板状の部材であって、開口部１３１の内周面に沿って形成されている。なお、規制壁１３３は、開口部１３１の内周面のうち、下部の内周面の一部には形成されていない。
開口部１３１は、この規制壁１３３によって開口する部分の面積が狭められた状態となるが、規制壁１３３が開口部１３１の内周面から延出する幅は、前面枠本体１３０の裏面側に配される後述する表示ユニット１７０の画像表示面１７１にかからない幅となっている。すなわち、遊技盤１を取り外した状態では、前面枠本体１３０の開口部１３１を介して表示ユニット１７０の画像表示面１７１の全面が視認可能となっている。
【００４１】
遊技機１００の前面側から見て左側となる開口部１３１の内周面上であって規制壁１３３の前側には、係止部材１３４が上下に２つ設けられている。この係止部材１３４が設けられている位置は、遊技盤１に形成された上述の係止受部１８と対向する位置となっている。係止部材１３４は、金属や合成樹脂などの弾性を有する材質からなる板状の部材で、その板面が開口部１３１の内周面に沿って前方に延出するとともに、先端側が開口部１３１の内側方向に湾曲しており、先端部分はさらに湾曲して筒状に形成されている。なお、外部から力がかかっていない状態において、係止部材１３４の先端と規制壁１３３の前面との間隔は、遊技盤１の係止受部１８が形成された部分の厚みよりも狭いものとされている。
【００４２】
遊技機１００の前面側から見て右側および上側となる開口部１３１の内周面上であって規制壁１３３の前側には、固定部材１３５がそれぞれ１つずつ設けられている。この固定部材１３５が設けられている位置は、遊技盤１に形成された上述の固定部材受部１９と対向する位置となっている。この固定部材１３５は、規制壁１３３の前面側に、規制壁１３３に対して垂直に植設された回動軸１３５ａと、回動軸１３５ａの前端部に回動自在に取り付けられた長円形板状の固定部１３５ｂとからなる部材で、固定部１３５ｂが開口部１３１に収容された遊技盤１の前面側に当接して遊技盤１の前方向への移動を規制するものである。
【００４３】
固定部１３５ｂは、その板面が規制壁１３３と平行になるように、板面の端部が回動軸１３５ａに取り付けられている。また、回動軸１３５ａに取り付けられた固定部１３５ｂの板面の裏面と規制壁１３３の前面との間隔は、遊技盤１の固定部材受部１９が形成された部分の厚みと略同じとなっている。よって、遊技盤１を開口部１３１に収容した状態で固定部１３５ｂを回動させることで、固定部１３５ｂの裏面が遊技盤１の前面に形成された固定部材受部１９に当接する状態と、該固定部材受部１９から退避した状態とに変換でき、これによって遊技盤１の固定と解除を行うことができる。なお、遊技盤１に形成された固定部材受部１９は、上述のように回動する固定部１３５ｂを受け入れ可能な上下幅、左右幅を有する段部となっている。
【００４４】
開口部１３１の左右にある規制壁１３３の前面側であって、上述の係止部材１３４に隣接する位置と、開口部１３１の開口部分を挟んで対向する位置には、長方形の１つの角が切り取られた形状をした板状の位置決め部材１３６が設けられている。すなわち、開口部１３１の左右にある規制壁１３３の前面側には、それぞれ２つずつ位置決め部材１３６が設けられている。この位置決め部材１３６は、その板面が水平になるように規制壁１３３の前面と開口部１３１の内周面に接するとともに、角部が切り取られ斜辺となった部分が開口部１３１の内側かつ前側（遊技盤１が挿入される側）に配されるように設けられている。また、開口部１３１の開口部分を挟んで対向する位置決め部材１３６，１３６の側端部であって、開口部１３１の内側に位置する側端部間の間隔は、遊技盤１の左右幅と略同じとなっている。このような位置決め部材１３６によって、後述するように、遊技盤１の取付の際に、遊技盤１を開口部１３１の所定位置に案内することができるとともに、開口部１３１に完全に収容された遊技盤１の側面に当接して、遊技盤１の左右方向への移動を規制することができる。
【００４５】
また、図３，４，１２に示すように、遊技機１００は、その制御系として遊技の進行を制御する主制御回路（主制御基板３０）、この主制御回路の制御下で各種の演出に関する制御を行う第１制御回路（演出ＲＯＭ基板３２）、第２制御回路（演出制御基板３３）、賞球の払い出しの制御を行う払出制御回路（払出制御基板３４）、発射装置による遊技球の発射を制御する発射制御回路（発射制御基板３６）、電力を供給する電源回路（電源基板３７）を備えている。
【００４６】
主制御回路としての主制御基板３０は、ＣＰＵ、ＲＡＭ、ＲＯＭ等を有する遊技用マイクロコンピュータ３１、入出力インタフェース（図示略）、各種処理の同期やタイマ等のためのパルス信号を出力するクロック（発振器、図示略）等により構成されている。
ＣＰＵは、制御部、演算部を備え、演算制御を行う他、特図変動表示ゲームの大当たり判定用乱数値などの各種乱数値なども生成している。
ＲＡＭは、普通変動入賞装置７内に設けられた始動口センサのオン信号などを記憶する記憶領域や、前記各種乱数値の記憶領域、並びに、ＣＰＵの作業領域等を備えている。
ＲＯＭには、遊技上の制御プログラムや制御データが書き込まれている他、上述の各種乱数値に対応して、特図の変動表示ゲームの大当り発生を判定するための、特図の変動表示ゲームの大当り判定値、変動パターン（リーチアクションの種類）の判定値などが記憶されている。
【００４７】
また、入出力インタフェースには、ローパスフィルタ及びバッファーゲートを介して、普通変動入賞装置７の始動口センサなどが接続されており、これらからの各種信号が入力され、これら各種信号は、該入出力インタフェースにより中継されて、ＣＰＵに対し出力される。
さらに、入出力インタフェースには、ＣＰＵから出力される各種の制御信号が入力され、これら制御信号は、該入出力インタフェースにより中継されて、図示しない出力ポート及びドライバーを介して、普通変動入賞装置７や特別変動入賞装置６の駆動手段としての各種開閉ソレノイド、第１制御回路としての演出ＲＯＭ基板３２、賞球の払出を制御する払出制御回路としての払出制御基板３４などに出力されている。
【００４８】
第１制御回路としての演出ＲＯＭ基板３２は、演出の制御内容を記憶した制御ＲＯＭ、画像や映像データが記憶されたＣＧＲＯＭ、音データが記憶された音データＲＯＭを備えている。なお、この演出ＲＯＭ基板３２に備えられた各種ＲＯＭの記憶内容は、遊技機の機種に依存するものである。
また、演出ＲＯＭ基板３２は、盤装飾ランプ２０などの盤装飾３８を制御する図示しない制御回路を備えており、主制御基板３０から受信した制御信号（演出コマンド）に基づいて（主制御基板３０の制御の下に）盤装飾３８の制御を行う。
【００４９】
また、この演出ＲＯＭ基板３２と直接接続された第２制御回路としての演出制御基板３３は、制御装置としてのＣＰＵ、ＲＡＭや、表示ユニット１７０（液晶表示パネル１７３）における表示を制御する画像用メモリとしてのＲＡＭや、グラフィックプロセッサとしてのＶＤＰ（video display processor）などを含むビデオ回路、音の出力を制御する音源ＬＳＩ等を備えている。なお、この演出制御基板３３は、複数の機種において共通使用可能なものである。
この演出制御基板３３は、主制御基板３０から演出ＲＯＭ基板３２を介して受信した制御信号（演出コマンド）に基づいて（主制御基板３０の制御の下に）枠装飾ランプ９，９などによる枠装飾３９の制御、表示ユニット１７０の液晶表示パネル１７３、液晶表示パネル１７３のバックライト１７３ａの制御、スピーカ１５２による音の出力の制御を行う。
【００５０】
払出制御回路としての払出制御基板３４は、ＣＰＵ、ＲＡＭ、ＲＯＭ等を有するマイクロコンピュータ３５を有し、主制御基板３０からの制御信号（賞球コマンド）や、球貸機（図示略）からの制御信号（球貸しコマンド）に基づいて所要数の遊技球（賞球、貸球）を排出装置１９０から排出させる制御を行う。
また、発射制御回路としての発射制御基板３６は、発射装置による遊技球の発射制御を行う。
そして、上述の各制御基板や、遊技機１００に備えられた各装置には、電源回路としての電源基板３７から電力が供給されるようになっている。
【００５１】
これらの制御回路においては、例えば以下のような制御が行われる。
主制御基板３０のＣＰＵでは、普通変動入賞装置７に備えられた始動口センサからの遊技球の検出信号の入力に基づき、特図の大当たり判定用乱数値を抽出してＲＯＭに記憶されている判定値と比較し、特図の変動表示ゲームの当たり外れを判定する処理を行う。また、この他に変動パターンの判定を行う処理などを行い、これらの結果を含む制御信号を演出ＲＯＭ基板３２に出力する。演出ＲＯＭ基板３２とこれに接続した演出制御基板３３では、主制御基板３０からの制御信号に基づき、液晶表示パネル１７３で特図の変動表示ゲームを表示する処理や、音の出力、ランプの点滅などの盤装飾３８、枠装飾３９を制御する処理を行う。そして、主制御基板３０のＣＰＵは、特図の変動表示ゲームが大当たりであった場合に、特別遊技状態を発生し、特別変動入賞装置６を動作する制御を行う。
【００５２】
また、主制御基板３０のＣＰＵは、普図始動ゲート３に設けられたゲートセンサからの遊技球の検出信号の入力に基づき、上述と同様に普図の変動表示ゲームの当たり外れを判定するとともに演出ＲＯＭ基板３２に制御信号を出力し、普図変動表示器に普図変動表示ゲームを表示させる。そして、主制御基板３０のＣＰＵは、普図の変動表示ゲームが当たりであった場合に、普通変動入賞装置７を動作する制御を行う。
【００５３】
また、主制御基板３０のＣＰＵは、各種入賞口に設けられたセンサから入力される遊技球の検出信号に基づき払出制御基板３４に制御信号を出力する。払出制御基板３４は、制御信号の入力に基づき排出装置１９０を制御して所定数の遊技球が払い出されるようにする。
また、主制御基板３０のＣＰＵは所定の入力信号に基づき、払出制御基板３４を介して発射制御基板３６に制御信号を出力する。発射制御基板３６は、制御信号の入力に基づき発射装置を制御して遊技球が遊技領域１ａに発射されるようにする。
すなわち、以上のことから主制御回路をなす主制御基板３０は、遊技の進行を制御する遊技制御装置をなし、第１制御回路をなす演出ＲＯＭ基板３２と第２制御回路をなす演出制御基板３３とが遊技機１００における種々の演出を制御する演出制御装置をなす。
【００５４】
そして、これらの各基板は以下のように遊技機に取り付けられている。
図５に示すように、画像表示面１７１における表示データなど、機種に依存するデータが記憶された第１制御回路としての演出ＲＯＭ基板３２は、遊技盤１の裏面側であって後述する裏面構成部材１６０の開口部２０２に臨む位置に取り付けられ、さらにその後側に遊技を制御する主制御回路としての主制御基板３０がボックス３０ａに収納された状態で取り付けられている。そして、複数の機種で共通使用可能な第２制御回路としての演出制御基板３３は、ボックス３３ａに収納された状態で前面枠本体１３０の裏面側に取り付けられた後述の裏面構成部材１６０に取り付けられている。また、排出装置１９０による賞球の払い出しを制御する払出制御回路としての払出制御基板３４、遊技機１００内の各装置に電力を供給する電源回路としての電源基板３７は、それぞれボックス３４ａ、３７ａに収納された状態で、前面枠本体１３０の裏面側であって開口部１３１の下側となる位置に取り付けられている。なお、発射制御基板３６も前面枠本体１３０に取り付けられている。
【００５５】
すなわち、機種に依存する演出ＲＯＭ基板３２、主制御基板３０は遊技盤１に取り付けられ、複数の機種で共通使用可能な演出制御基板３３や払出制御基板３４、発射制御基板３６、電源基板３７は前面枠本体１３０もしくは裏面構成部材１６０に取り付けられている。よって、遊技盤１を変更することにより機種に依存する基板のみが交換され、遊技機１００の遊技内容を変更することが可能である。
【００５６】
図２から図１１に示すように、裏面構成部材１６０は、本体部１６１と、画像を表示する液晶表示パネル１７３を備える後述する表示ユニット１７０を案内するためのガイド部１６２を有し、表示ユニット１７０の他、表示ユニット１７０を制御する演出制御基板３３、賞球などを排出する排出装置１９０、排出装置１９０に遊技球を供給する貯留タンク１９２やシュート１９５が取り付けられている。
上述したように、裏面構成部材１６０の前面の左側の端部は、前面枠本体１３０の裏面であって遊技機１００の裏面側から見て右側の側部に設けられた取付部材１３２にヒンジ機構１３９を介して回動可能に軸支されており、前面枠本体１３０に形成された開口部１３１の上側略半分を裏面側から覆って遊技盤１の裏面に臨む状態から、後方に扉状に回動して開口部１３１の裏面側を開放する状態との間で回動可能となっている。
【００５７】
本体部１６１には、裏面構成部材１６０が遊技盤１の裏面に臨む状態において、前面側（遊技盤１の裏面に臨む側）に開口する矩形箱状の凹部である表示ユニット配設部１６３が形成されている。また、裏面構成部材１６０の裏面側から見て、表示ユニット配設部１６３の右側に隣接して、裏面側に開口する矩形箱状の凹部である排出装置配設部１６４が形成されている。
【００５８】
表示ユニット配設部１６３は、後述するように、ガイド部１６２とともに表示ユニット１７０を収納する表示ユニット収納部１６８を形成するものである。
図８に示すように、表示ユニット配設部１６３の前面となる本体部１６１の前面には、本体部１６１を補強するための補強リブ１６５が格子状に形成されているとともに、第１の支持部材２２２の一端が接続される第１固定部材２２１、付勢部材としての圧縮コイルばね１８２の一端部が取り付けられる第１ばね装着筒１８１が形成されている。
【００５９】
第１固定部材２２１は、表示ユニット配設部１６３の前面の四隅に各々形成されている。第１固定部材２２１は、上下方向に沿った回動軸２２１ａを有しており、第１の支持部材２２２の一端部が回動可能に軸着されている。第１の支持部材２２２の他端部は第２の支持部材２２４に接続し、第２の支持部材２２４は表示ユニット１７０の裏面に形成された第２固定部材２２３に取り付けられている。これによって、表示ユニット１７０は、表示ユニット収納部１６８内で前後移動可能に支持されることとなる。なお、これら第１固定部材２２１、第１の支持部材２２２、第２固定部材２２３、第２の支持部材２２４を有する支持手段２２０の詳細については後に詳しく説明する。
【００６０】
第１ばね装着筒１８１は、表示ユニット配設部１６３の前面の略中央に形成された円柱状の部材である。この第１ばね装着筒１８１の先端部は、表示ユニット配設部１６３の前面に形成された補強リブ１６５より前側に突出するように形成されている。また、第１ばね装着筒１８１の直径は、付勢部材としての圧縮コイルばね１８２（付勢ばね）の内径と略等しく、圧縮コイルばね１８２を第１ばね装着筒１８１に嵌合することで、表示ユニット配設部１６３の前面に圧縮コイルばね１８２が取り付けられるようになっている。なお、圧縮コイルばね１８２の他端は、表示ユニット１７０の裏面に形成された後述する第２ばね装着筒１７８に取り付けられており、これによって表示ユニット１７０は前方向に付勢された状態となる。すなわち、表示ユニット配設部１６３と表示ユニット１７０の間には圧縮コイルばね１８２が配設され、前後方向に移動可能な表示ユニット１７０は、圧縮コイルばね１８２によって前方向に付勢された状態となる。
【００６１】
また、矩形箱状の凹部である表示ユニット配設部１６３の周面を形成する周囲壁１６７は、排出装置配設部１６４に隣接する部分を除いて本体部１６１の外周壁を兼ねており、所定の厚みを有するとともに内部には補強リブが形成されている。なお、周囲壁１６７のうち下側の周囲壁１６７は、角部に連続する一部を残して切り取られた状態となっている。なお、この残された下側の周囲壁１６７の左右幅は、ここに収容される表示ユニット１７０を前後方向に案内するのに十分な幅となっている。
【００６２】
また、左右の周囲壁１６７の前側には、それぞれ断面コ字型のガイド部１６２が、開口した側が互いに対向し、かつ、表示ユニット配設部１６３の周囲壁１６７のうち、左右の周囲壁１６７の全部と上下の周囲壁１６７の一部の前側を覆って前方に突出するように取り付けられている。
このガイド部１６２は、表示ユニット配設部１６３の右側もしくは左側の周囲壁１６７に沿って配される側壁部１６２ａと、側壁部１６２ａの一端部に直角に接続し、上側の周囲壁１６７に沿って配される上壁部１６２ｂと、側壁部１６２ａの他端部に直角に接続し、下側の周囲壁１６７に沿って配される下壁部１６２ｃとからなる。
【００６３】
本体部１６１の前面側から見て右側に配されたガイド部１６２は、その側壁部１６２ａが表示ユニット配設部１６３の右側の周囲壁１６７と略同じ厚み、長さを有するとともに、上壁部１６２ｂが上側の周囲壁１６７と略同じ厚みを有し、下壁部１６２ｃが下側の周囲壁１６７と同じ厚みを有する。そして、ガイド部１６２の下壁部１６２ｃの左右幅は、下側の周囲壁１６７の左右幅と同じ幅となっており、ガイド部１６２の上壁部１６２ｂも下壁部１６２ｃの左右幅と同じ幅となっている。
また、本体部１６１の前面側から見て左側に配されたガイド部１６２も略同じ構成を有するが、図１１に示すように、表示ユニット配設部１６３の左側の周囲壁１６７の厚さが右側の周囲壁１６７の厚さに比べ薄いので、左側に配されたガイド部１６２の側壁部１６２ａは、左側の周囲壁１６７よりも厚くなっている。
また、ガイド部１６２の側壁部１６２ａ、上壁部１６２ｂ、下壁部１６２ｃの内部には、周囲壁１６７と同様に補強リブ１６２ｄが形成されている。
【００６４】
このような構成を有するガイド部１６２を本体部１６１に取り付けた状態では、図７，８に示すように、ガイド部１６２の内周面が表示ユニット配設部１６３の周囲壁１６７の内周面と略同一面を形成するようになっており、ガイド部１６２によって周囲壁１６７の内周面のうち、側面および上下面の一部が前側に延出された状態となっている。この表示ユニット配設部１６３とガイド部１６２で形成される、所定の奥行きを有するとともに前側に開口した矩形凹室形状の空間が、表示ユニット１７０を収納する表示ユニット収納部１６８となる。そして、ガイド部１６２の上壁部１６２ｂもしくは下壁部１６２ｃと側壁部１６２ａが接続する角部周辺と、この角部の後方側に連続する表示ユニット配設部１６３の角部周辺が、主に表示ユニット１７０を前後方向に案内する案内部１６９として機能する。
【００６５】
この表示ユニット収納部１６８には、画像表示面１７１が前側（開口した側）となるように表示ユニット１７０が配設されるようになっている。そして、図２に示すように、裏面構成部材１６０を遊技盤１の裏面に臨むように配することで、遊技盤１の裏面側に表示ユニット１７０の画像表示面１７１が臨むようになる。なお、裏面構成部材１６０が遊技盤１の裏面に臨む状態にあるとき、表示ユニット１７０は遊技盤１の裏面から後方側へ隔離した位置に配されるようになっている。また、この表示ユニット収納部１６８の上下幅および左右幅は、表示ユニット１７０の上下幅および左右幅よりも大きくなっている。これによって、表示ユニット１７０の前後方向への移動が容易になるとともに、表示ユニット１７０が表示ユニット収納部１６８内で傾斜した状態になることが可能となる。
【００６６】
なお、表示ユニット１７０が表示ユニット収納部１６８内で傾斜した状態は、表示ユニット１７０が前面枠１２０（前面枠本体１３０）の左右方向と非平行となっている状態である。また、裏面構成部材１６０が遊技盤１の裏面に臨むように配した状態（裏面構成部材１６０を閉鎖した状態）は、裏面構成部材１６０の左右方向が前面枠１２０の左右方向と平行に配されている状態であり、この状態において表示ユニット１７０が前面枠１２０の左右方向と非平行であるということは、表示ユニット１７０は裏面構成部材１６０の左右方向とも非平行状態であると言える。
【００６７】
すなわち、裏面構成部材１６０は、表示ユニット配設部１６３とガイド部１６２とによって形成された、表示ユニット１７０を収納可能な凹室形状の表示ユニット収納部１６８を有し、該表示ユニット収納部１６８は所定寸法の奥行きを有し、表示ユニット１７０を遊技盤１裏面から後方側に隔離して配設可能としている。
【００６８】
図７，８，９に示すように、左右のガイド部１６２の上壁部１６２ｂおよび下壁部１６２ｃの内面の前方側には、前方位置規制部材１８０が各々形成されている。この前方位置規制部材１８０は、直角三角形板状の部材で、側壁部１６２ａの内面と上壁部１６２ｂもしくは下壁部１６２ｃの内面に、それぞれ垂直に接するように形成されている。この前方位置規制部材１８０が形成されている位置は、表示ユニット収納部１６８内における表示ユニット１７０の移動範囲の前端となる位置であって、表示ユニット１７０がこの前方位置規制部材１８０に当接することで、それ以上の前方向への移動が規制されるようになっている。
【００６９】
図７から図１０に示すように、表示ユニット１７０は、前面側が開口した略矩形箱状の枠体１７２と、画像を表示可能な液晶表示パネル１７３、バックライト１７３ａ（図１２に図示）、液晶表示パネル１７３を保護する前面カバー１７４を備える。
枠体１７２は、表示ユニット１７０の前面以外の外周面を形成しており、この枠体には、液晶表示パネル１７３、前面カバー１７４が収容される。
【００７０】
液晶表示パネル１７３は、前面側（枠体１７２の開口側）に画像を表示可能な画像表示面１７１が配されるように枠体１７２に収容されており、さらにその前面側には、液晶表示パネル１７３を保護する透明な前面カバー１７４が取り付けられている。よって、液晶表示パネル１７３の画像表示面１７１は、表示ユニット１７０の前面側から前面カバー１７４を介して視認可能となっている。この液晶表示パネル１７３の画像表示面１７１の面積は、枠体１７２の開口部の面積と略等しく、また、図２に示すように、前面枠本体１３０に形成された開口部１３１の上側略半分（遊技盤１の上側略半分）を裏面側から覆うことができる面積となっており、表示部構成部材１１によって形成された表示部１２よりも広いものである。すなわち、画像表示面１７１の面積が、少なくとも表示部１２よりも広く、表示部１２の大きさが変化してもそれに対応できるようになっている。このように、液晶表示パネル１７３の画像表示面１７１が遊技盤１の裏面側を幅広く覆うようにすることで、遊技盤１を交換して遊技機１００の遊技内容を変更する場合に、多種の遊技盤１の表示部１２に対応できるようになっている。
【００７１】
なお、表示ユニット１７０は、図１３に示すように、画像表示面１７１の面積が表示部１２よりも広いので、表示部１２が配される領域に対応する領域１７１ａに画像が表示されるように演出ＲＯＭ基板３２および演出制御基板３３によって制御されている。この画像を表示する領域１７１ａを決定する遊技盤１の表示部１２の大きさや位置に関する情報は、演出ＲＯＭ基板３２に記憶されているが、演出ＲＯＭ基板３２は遊技盤１に取り付けられており、遊技盤１と一緒に演出ＲＯＭ基板３２も交換される。よって、遊技盤１の交換に伴い、例えば、図１３（ａ）に示す、これまでの遊技盤の表示部に対応した画像表示領域１７１ａから、図１３（ｂ）に示す、新たな遊技盤１の表示部１２に対応した画像表示領域１７１ａに変更できるようになっている。
【００７２】
略矩形状の表示ユニット１７０の各角部は、側面より側方に突出しているとともに、角部を補強する補強部材１７６が各々取り付けられている。図７に示すように、表示ユニット１７０は、表示ユニット収納部１６８の角部周辺の案内部１６９で主に案内されるので、表示ユニット１７０の角部には負担がかかることとなる。よって、表示ユニット１７０の角部に補強部材１７６を取り付けることで、表示ユニット１７０の耐久性を向上させている。また、角部が側面より側方に突出していることと、補強部材１７６が角部を外側から覆い、外側に突出した状態となっていることで、表示ユニット収納部１６８との接触面積を小さくすることができ、また、補強部材１７６自体を滑りやすい材質（例えばポリアセタール）を使用していることから表示ユニット１７０の前後移動が容易になる。
また、この補強部材１７６の前面側の一部は、枠体１７２によって形成された箱状空間の前面側の開口に突出するように形成されており、この部分が前面カバー１７４の前面に各々当接することで、前面カバー１７４が前側に移動することを規制し、枠体１７２内に前面カバー１７４と液晶表示パネル１７３を保持するようになっている。
【００７３】
また、図８に示すように、表示ユニット１７０の裏面側には、本体部１６１の裏面側に配される演出制御基板３３と液晶表示パネル１７３を接続するための接続部１７９が形成されている。この接続部１７９には図示しないコネクタが設けられており、演出制御基板３３からの配線を接続できるようになっている。
【００７４】
さらに、表示ユニット１７０の裏面側には、第２の支持部材２２４の一端が接続される第２固定部材２２３が形成されている。第２固定部材２２３は、表示ユニット１７０の裏面の四隅に各々形成され、第１固定部材２２１と同様に、上下方向に沿った回動軸２２３ａを有しており、第２の支持部材２２４の一端部が回動可能に軸着されている。なお、第１固定部材２２１と第２固定部材２２３の形成位置は、表示ユニット１７０を表示ユニット収納部１６８に配設したときに、互いに対向するような位置に配されている。そして、第２固定部材２２３に軸着された第２の支持部材２２４の他端部は、第１の支持部材２２２と回動可能に接続されている。
【００７５】
ここで、支持手段２２０による表示ユニット１７０の支持について図８から図１１を参照して説明する。
支持手段２２０は、表示ユニット配設部１６３が形成される裏面構成部材１６０に形成された第１固定部材２２１と、ここに軸着された第１の支持部材２２２、および、表示ユニット１７０に形成された第２固定部材２２３と、ここに軸着された第２の支持部材２２４を有し、表示ユニット１７０を表示ユニット収納部１６８内で前後移動可能に支持するものである。なお、第１固定部材２２１が形成された裏面構成部材１６０は、前面枠１２０をなす前面枠本体１３０に取り付けられており、第１固定部材２２１は前面枠１２０に設けられているとも言える。
【００７６】
表示ユニット配設部１６３の前面に形成された第１固定部材２２１に軸着される第１の支持部材２２２は、所定の厚みを有し、板面がＬ字型となった板状の部材であって、Ｌ字型をした板面が裏面構成部材１６０の上下方向に沿うように配される。このＬ字型の第１の支持部材２２２は、直角に屈曲した部分を境界として、一方が裏面構成部材１６０の上下方向に沿って延在するように配されて第１固定部材２２１に軸着される軸着部２２２ａとされ、他方が軸着部２２２ａを第１固定部材２２１に軸着した状態において水平方向に延在する延在部２２２ｂとされている。
【００７７】
軸着部２２２ａは、裏面構成部材１６０の上下方向に沿った上下幅が、第１固定部材２２１にちょうど収まる幅となっている。また、第１の支持部材２２２の側端となる側に軸受部として、第１固定部材２２１に設けられた回動軸２２１ａを挿通可能な、上下方向に貫通した孔が形成されており、この軸受部に回動軸２２１ａを挿通することで、この回動軸２２１ａを中心として第１固定部材２２１に対して回動可能に軸着される。さらに、軸着部２２２ａの端面は円弧状に形成されていて、特に、軸受部が形成された側の端面は、軸受部として上下方向に貫通した孔を中心とした円弧とされており、第１の支持部材２２２が第１固定部材２２１に対して回動する際に、端面が接触しないようになっている。
【００７８】
延在部２２２ｂは、軸着部２２２ａに連続して形成され、裏面構成部材１６０の上下方向に沿った軸着部２２２ａの上下幅に対して略半分の上下幅を有している。この延在部２２２ｂの第１の支持部材２２２の側端となる部分には、上下方向に貫通した孔が形成されており、第２の支持部材２２４と回動軸２２５を介して回動可能に接続できるようになっている。
また、第１の支持部材２２２の内部には、補強のための補強リブが形成されている。
【００７９】
第２の支持部材２２４は、第１の支持部材２２２と同じ形状であるとともに、表示ユニット１７０の裏面に形成された第２固定部材２２３に第１の支持部材２２２と同じように軸着されている。すなわち、第２支持部材２２４は、Ｌ字型の板面が表示ユニット１７０の上下方向に沿うように配されるとともに、表示ユニット１７０の上下方向に沿って延在するように配される軸着部２２４ａと、この軸着部２２４ａを第２固定部材２２３に軸着した状態において水平方向に延在する延在部２２４ｂとを有する。また、第２の支持部材２２４の内部にも、補強のための補強リブが形成されている。
【００８０】
そして、軸着部２２４ａには軸受部として、第２固定部材２２３に設けられた回動軸２２３ａを挿通可能な上下方向に貫通した孔が形成されており、この軸受部に回動軸２２３ａを挿通することで、この回動軸２２３ａを中心として回動可能に軸着される。また、第２の支持部材２２４の延在部２２４ｂの端部にも、上下方向に貫通した孔が形成されており、第１の支持部材２２２、第２の支持部材２２４は、この孔に挿通される回動軸２２５を介して回動可能に連結される。
【００８１】
なお、連結した一対の第１の支持部材２２２と第２の支持部材２２４は、延在部に対する軸着部の上下方向に突出する向きが互いに反転しており、延在部の一側面のうち軸着部が突出する側の側面が対向するように配されて連結されている。例えば、図８に示すように、表示ユニット１７０の裏面側から見て右上の支持手段２２０において、第１の支持部材２２２は延在部２２２ｂに対する軸着部２２２ａの突出する方向が上方向に、第２の支持部材２２４は延在部２２４ｂに対する軸着部２２４ａの突出する方向が下方向になるように配されている。そして、互いの延在部２２２ｂ，２２４ｂは、軸着部が突出する側の側面が対向し、上下に重なるように配されて連結されている。
【００８２】
このように、Ｌ字型をした支持部材２２２，２２４は、延在部２２２ｂ，２２４ｂの上下幅が軸着部２２２ａ，２２４ａの上下幅の略半分であり、連結する一対の支持部材２２２，２２４が上述のように配設されることで、延在部２２２ｂ，２２４ｂはちょうど軸着部２２２ａ，２２４ａの上下幅の範囲に配設されることとなる。よって、支持部材２２２，２２４の軸着部２２２ａ，２２４ａの上下幅を長く取れる上、支持手段２２０が配設される範囲を狭くすることができる。さらに、互いの延在部２２２ｂ，２２４ｂは、軸着部が突出する側の側面が対向し、上下に重なるように配されて連結されるので、支持手段２２０を折りたたんだ際の前後幅を小さくでき、支持手段２２０を効率よく配することができる。
【００８３】
以上のような構成を有する支持手段２２０は、第１の支持部材２２２と第２の支持部材２２４の両端部が回動可能に軸着されていることで、第１の支持部材２２２と第２の支持部材２２４が、くの字型に屈折するように折りたたまれた状態で表示ユニット１７０を表示ユニット収納部１６８内で支持している。なお、第１の支持部材２２２と第２の支持部材２２４の連結部分であって屈折する部分は、表示ユニット１７０の左右方向の中央側に向かって突出するように屈折している。また、各支持部材２２２，２２４は上下方向の回動軸２２１ａ，２２３ａ，２２５で軸着されているので、確実に表示ユニット１７０を支持することができる。
【００８４】
また、くの字型に折りたたまれた第１の支持部材２２２と第２の支持部材２２４は、両端部が回動可能に軸着されていることで、支持手段２２０の前後方向の伸張幅を変化させるように屈伸することが可能であり、これによって表示ユニット１７０の前後移動が可能となっている。また、表示ユニット１７０の四隅に設けられた各支持手段２２０は、独立して屈伸可能である。よって、例えば、図１１（ａ）に示すように、一側方の支持手段２２０が他側方の支持手段２２０よりも伸張幅が狭い状態となって、表示ユニット１７０が左または右方向に傾いた状態となることも可能である。このような支持手段２２０によって表示ユニット１７０が支持されることで、遊技盤１を前面枠１２０に装着した際に、表示ユニット１７０の画像表示面１７１が遊技盤１の裏面端部（後端部１６）の位置に合わせて移動し、当接することが可能となる。
【００８５】
また、以上のことから、表示ユニット１７０は、裏面構成部材１６０の所定寸法の奥行きを有する表示ユニット収納部１６８内に、支持手段２２０によって前後移動可能に支持されていることとなり、その移動範囲は、前方位置規制部材１８０に表示ユニット１７０の前面が当接する位置から、支持手段２２０の前後方向の伸張幅が最も狭く、第１の支持部材２２２、第２の支持部材２２４の軸着部２２２ａ，２２４ａが前後に重なる状態となる位置までとなる。
【００８６】
表示ユニット１７０の裏面には、付勢部材としての圧縮コイルばね１８２の一端部が取り付けられる第２ばね装着筒１７８が形成されている。第２ばね装着筒１７８は、表示ユニット１７０の裏面の略中央にあって、上述の第１ばね装着筒１８１と同じ円柱状の部材である。この第２ばね装着筒１７８が形成される位置は、表示ユニット１７０を表示ユニット収納部１６８に取り付けたときに、表示ユニット配設部１６３の前面に形成された第１ばね装着筒１８１に対向する位置となっている。そして、第１ばね装着筒１８１に取り付けられた圧縮コイルばね１８２の他端が、この第２ばね装着筒１７８に取り付けられることで、表示ユニット１７０と表示ユニット配設部１６３の前面との間に圧縮コイルばね１８２が配され、表示ユニット１７０が前方向に付勢された状態となる。なお、圧縮コイルばね１８２に外部から力がかかっていない状態での長さ（自然長）は、表示ユニット１７０の前面が前方位置規制部材１８０に当接し、表示ユニット１７０が最も前側にある状態における表示ユニット１７０の裏面と表示ユニット配設部１６３の前面との距離よりも長く、常に表示ユニット１７０を前側に付勢できるようになっている。
【００８７】
以上のことから、遊技領域１ａを形成する遊技盤１を前面枠１２０（前面枠本体１３０）に対して着脱可能に配設し、該遊技盤前面の所要領域において遊技に関わる表示ゲームを表示するようにした遊技機１００において、前面枠１２０における遊技盤１の後方位置に配設され、表示ゲームを実行する表示ユニット１７０と、表示ユニット１７０を前後に移動可能に前面枠１２０側に支持するとともに、遊技盤１を前面枠１２０に装着した際に該遊技盤１の裏面端部（後端部１６）と該表示ユニット１７０の表示面（画像表示面１７１）が当接するように当該表示ユニット１７０を支持する支持手段２２０と、表示ユニット１７０を前方側に付勢する付勢手段（圧縮コイルばね１８２）と、を備え、支持手段２２０は、前面枠１２０に設けられた上下方向の回動軸２２１ａに対して軸着された第１の支持部材２２２と、表示ユニット１７０に設けられた上下方向の回動軸２２３ａに対して軸着された第２の支持部材２２４と、を備えるとともに該第１の支持部材２２２と第２の支持部材２２４を回動可能に連結して構成され、支持手段２２０を少なくとも表示ユニット１７０の左右方向の側部を支持可能に複数設けたこととなる。
【００８８】
また、付勢手段として、付勢ばね（圧縮コイルばね１８２）を表示ユニット１７０の略中央部を押圧する位置に設けたこととなる。
【００８９】
図３，１０，１１に示すように、本体部１６１の裏面側から見て表示ユニット配設部１６３の右側には、本体部１６１の裏面側に開口した略矩形箱状の凹部である排出装置配設部１６４が形成され、排出装置１９０が取り付けられている。
排出装置１９０は、主制御基板３０の制御の下に払出（排出）制御基板３４によって制御されるようになっており、入賞口への入賞によって主制御基板３０から払出制御基板３４に出力される賞球の排出を指示する制御信号に基づき、所定数の賞球としての遊技球を排出するようになっている。また、図示しない球貸機から払出制御基板３４に出力される貸球の排出を指示する制御信号に基づき、所定数の貸球としての遊技球を排出するようになっている。そして、排出装置１９０から排出された遊技球は、発射操作ユニット１５０の前面側に設けられた上皿１５３に流入するようになっている。また、排出装置１９０の裏面側は、カバー体１９１によって覆われるようになっており、排出装置１９０は排出装置配設部１６４とカバー体１９１によって形成される空間内に配されることとなる。
【００９０】
また、本体部１６１上側の外周壁の外周面、すなわち、本体部１６１の上面であって表示ユニット配設部１６３が形成された部分の上側には、排出装置１９０に供給される遊技球を貯留する貯留タンク１９２が設けられ、さらに、貯留タンク１９２が設けられた本体部１６１の上面であって、表示ユニット配設部１６３が形成された側の側端部には、貯留タンク１９２から排出された遊技球を本体部１６１の裏面側に誘導する誘導流路１９３が形成されている。また、表示ユニット配設部１６３の裏面側には、誘導流路１９３が形成された位置から排出装置配設部１６４まで遊技球を誘導するシュート１９５を取り付けるためのシュート取付部１９４が形成されている。
【００９１】
貯留タンク１９２は、略矩形箱状の部材であって、その長さ方向が本体部１６１の左右方向に沿うとともに、上側に開口するように本体部１６１の上面に取り付けられている。この貯留タンク１９２は、遊技機１００が設置される図示しない島設備に設けられた供給装置から供給される遊技球を一時貯留し、排出装置１９０に供給するものである。この貯留タンク１９２の本体部１６１の左右方向に沿った幅は、表示ユニット配設部１６３の左右幅より狭く、また、貯留タンク１９２の本体部１６１の前後方向に沿った幅は、貯留タンク１９２が取り付けられる本体部１６１の上面の前後幅より広くなっている。
【００９２】
貯留タンク１９２の前後の略中央部であって本体部１６１の上面に配される部分には、本体部１６１の上面に沿って左右方向に延在するとともに、底面が延在方向の一端部（本体部１６１の前面側から見て右側）に向かって下る傾斜を有する流下路１９６が形成されている。この流下路１９６の下流側端部の底面には、貯留タンク１９２内の遊技球を外部に排出する排出口１９７として遊技球が通過可能な開口が形成されている。また、この流下路１９６より前側の部分は、本体部１６１に設けられたガイド部１６２の前端部と略同じ前後位置まで前側に突出しており、流下路１９６に遊技球を導くように後方に向かって下る傾斜を有する後方傾斜部１９８とされている。そして、流下路１９６より後側の部分は、後述するシュート取付部１９４をなす本体部１６１裏面に形成された段部２００の後端部と略同じ前後位置まで後側に突出しており、流下路１９６に遊技球を導くように前方に向かって下る傾斜を有する前方傾斜部１９９とされている。
【００９３】
なお、流下路１９６の排出口１９７が形成された部分の前後には、後方傾斜部１９８、前方傾斜部１９９は形成されておらず、この部分が貯留タンク１９２の側端から突出した状態となっている。これによって、後方傾斜部１９８、前方傾斜部１９９から流下路１９６に向かって流下する遊技球が、直接排出口１９７に流入することを防止でき、排出口１９７付近で球詰まりが発生することを防いでいる。
【００９４】
図１０に示すように、貯留タンク１９２が設けられる本体部１６１の上面を形成する本体部１６１上側の外周壁には、排出装置配設部１６４が隣設された側とは反対の側端部に誘導流路１９３が形成されている。この誘導流路１９３は、外周壁の前端から後端にかけて本体部１６１の前後方向に沿って形成されており、遊技球が流下可能な幅を有するとともに裏面側に向かって下る傾斜を有する。また、誘導流路１９３が形成された部分の本体部１６１の裏面には、誘導流路１９３に連続する凹部１９３ａが、上下方向に沿ってシュート取付部１９４をなす段部２００まで形成されている。そして、この誘導流路１９３の上方に貯留タンク１９２の排出口１９７が配され、貯留タンク１９２から排出された遊技球が誘導流路１９３の傾斜に沿って本体部１６１の裏面側に誘導されるようになっている。
【００９５】
本体部１６１の表示ユニット配設部１６３が形成されている部分の裏面には、後方に突出する段部２００が形成され、その上面が遊技球の流路を形成するシュート１９５を取り付けるシュート取付部１９４とされている。シュート取付部１９４をなす段部２００の上面は、その前後幅（段部２００の後方に突出する幅）が遊技球の直径よりも広いものとされ、誘導流路１９３が形成された位置から排出装置配設部１６４にかけて、排出装置配設部１６４側に下る傾斜を有するように形成されている。
【００９６】
このシュート取付部１９４に取り付けられるシュート１９５は、シュート取付部１９４をなす段部２００の上面と略同じ大きさの底板１９５ａと、底板１９５ａに対し垂直に接続した背面板１９５ｂとからなるＬ字型の板状の部材である。そしてシュート１９５は、底板１９５ａがシュート取付部１９４上に配され、かつ、背面板１９５ｂがシュート取付部１９４の後端部側に配されるように取り付けられる。これによって、図３に示すように、背面板１９５ｂは段部２００下方の本体部１６１の裏面と略同一面を形成するようになる。また、背面板１９５ｂの上下幅は、段部２００の上面から本体部１６１の上面に取り付けられた貯留タンク１９２の上端までの幅とされ、段部２００の後端部と略同じ位置まで後方に突出する貯留タンク１９２の前方傾斜部１９９の後端面に背面板１９５ｂの上端部を固定できるようになっている。
【００９７】
すなわち、シュート１９５の底板１９５ａが誘導流路１９３から排出装置配設部１６４に至る裏面流下路２０１の底面をなすとともに、背面板１９５ｂと段部２００上方の本体部１６１の裏面が裏面流下路２０１の側面をなす。また、本体部１６１の上部に設けられた貯留タンク１９２の前方傾斜部１９９が裏面流下路２０１の上面をなし、前方傾斜部１９９の後端部に背面板１９５ｂの上端部が固定されることで、本体部１６１の裏面側に排出装置１９０に接続する筒状の裏面流下路２０１が形成されることとなる。
【００９８】
以上のような構成によって、図示しない島設備の供給装置から供給され、貯留タンク１９２に貯留された遊技球は、貯留タンク１９２の後方傾斜部１９８もしくは前方傾斜部１９９の傾斜によって、貯留タンク１９２の前後方向の中央部に形成された流下路１９６に誘導され、さらに、流下路１９６の傾斜に沿って排出口１９７に誘導される。排出口１９７から排出された遊技球は、誘導流路１９３の傾斜に沿って本体部１６１の裏面側に流下し、シュート１９５によって形成された裏面流下路２０１に沿って排出装置１９０に至り、排出装置１９０が動作することによって発射操作ユニット１５０の前面に形成された上皿１５３に排出される。なお、貯留タンク１９２の排出口１９７から排出装置１９０に至る流路内には、常に遊技球が待機している状態となっており、排出装置１９０によって流路内の遊技球が排出されることに伴って貯留タンク１９２から流路に遊技球が流入する。
【００９９】
また、図４，１０に示すように、排出装置配設部１６４の下部は、表示ユニット配設部１６３よりも下方に延出するように形成されている。言い換えれば、本体部１６１は表示ユニット配設部１６３の下方が切欠状に開口しており、この切欠状の開口部２０２には、遊技盤１に取り付けられた第１制御回路としての演出ＲＯＭ基板３２の一部が収容されるようになっている。そして、前面枠本体１３０の裏面側であって、この切欠状の開口部２０２の上側となる部分には、第２制御回路としての演出制御基板３３を取り付けるための、後方に開口した回路取付凹部２０３が形成されている。
【０１００】
演出制御基板３３はボックス３３ａに収容されており、このボックス３３ａは回路取付凹部２０３に収容可能な大きさとなっている。回路取付凹部２０３の上端部には、本体部１６１の左右方向に沿って延在する回動軸２０４が設けられており、この回動軸２０４が演出制御基板３３を収納したボックス３３ａの上部に形成された軸受け３３ｂに挿通されてボックス３３ａが回路取付凹部２０３に対して扉状に開閉可能に支持されている。なお、ボックス３３ａは、回路取付凹部２０３に収容された状態から本体部１６１の裏面側方向へ回動可能となっている。
【０１０１】
また、回路取付凹部２０３の背面をなす本体部１６１の裏面には、回路取付凹部２０３の前面側に形成された表示ユニット収納部１６８に連通する開口２０５が形成されており、ボックス３３ａのこの開口２０５と対向する部分には、演出制御基板３３に設けられた図示しないコネクタがボックス３３ａの外側に露出している。そして、この演出制御基板３３のコネクタに接続された配線が、回路取付凹部２０３の背面に形成された開口２０５を通って表示ユニット１７０の背面の接続部１７９に設けられたコネクタに接続されることで、演出制御基板３３と液晶表示パネル１７３が接続される。
【０１０２】
また、ボックス３３ａの裏面側から見て右側面からも、演出制御基板３３に設けられたコネクタ３３ｃがボックス３３ａの外側に露出している。このコネクタ３３ｃにも配線が接続され、遊技機１００に設けられたその他の基板などと接続される。なお、このボックス３３ａの右側面に対向する回路取付凹部２０３の側壁には、コネクタ３３ｃに接続された配線を通すための切欠き２０６が形成されている。この切欠き２０６は、回路取付凹部２０３に隣接して設けられた凹部２０７に連通しており、配線はこの凹部２０７を経由して他の基板などへ向けて配設される。また、この凹部２０７には、遊技機１００の外部に設けられる装置（管理装置など）と接続するための外部情報端子を有する外部情報端子板２０８が設けられている。
【０１０３】
演出制御基板３３を収容したボックス３３ａの上下幅は、回路取付凹部２０３の上下幅よりも広く、回路取付凹部２０３にこのボックス３３ａを収容すると、ボックス３３ａの下部が回路取付凹部２０３の下方に形成された開口部２０２に延出するようになっている。そして、図８，９に示すように、ボックス３３ａの前面側であって開口部２０２に延出する部分からは、演出制御基板３３に設けられたコネクタ３３ｅがボックス３３ａの外側に露出している。
【０１０４】
また、図４に示すように、遊技盤１の裏面には演出ＲＯＭ基板３２が取り付けられており、裏面構成部材１６０を遊技盤１の裏面に臨むように配すると、開口部２０２にその上部が収容されるようになっている。そして、この演出ＲＯＭ基板３２の裏面であって、開口部２０２に収容されるとともに演出制御基板３３が取り付けられた回路取付凹部２０３の下方に位置する部分には、コネクタ３２ａが設けられている。
【０１０５】
すなわち、図３に示すように、遊技盤１が前面枠本体１３０に取り付けられ、かつ、裏面構成部材１６０が遊技盤１の裏面側に配された状態で、演出制御基板３３を収容したボックス３３ａを回路取付凹部２０３に収容される状態にすると、演出ＲＯＭ基板３２のコネクタ３２ａと演出制御基板３３のコネクタ３３ｅが連結し、演出ＲＯＭ基板３２と演出制御基板３３が直接接続するようになっている。さらに、演出制御基板３３を収容したボックス３３ａの開口部２０２に延出する部分の両側面には、ワンタッチ着脱式の固定部材３３ｄが設けられており、演出ＲＯＭ基板３２に形成された取付穴３２ｂに固定部材３３ｄの固定部を押し込むことで両基板のコネクタ３２ａ，３３ｅを確実に連結できるようになっている。
【０１０６】
以上のことから、裏面構成部材１６０の裏面側には、表示ユニット１７０を駆動するための制御装置（演出制御基板３３）が設けられていることとなる。
【０１０７】
次に、以上のように構成される遊技機１００における、遊技盤１の取付方法について図１１を参照して説明する。なお、ここではすでに開口部１３１から古い遊技盤１が取り外されており、また、裏面構成部材１６０は、前面枠本体１３０の裏面側に表示ユニット１７０が臨む状態とされているとともに、演出制御基板３３を収納するボックス３３ａは後方に回動した状態とされているものとする。
【０１０８】
図１１（ａ）に示すように、遊技盤１を前面枠本体１３０の開口部１３１に取り付ける際には、まず、開口部１３１の一側部に設けられた上下２つの係止部材１３４の先端部を遊技盤１に形成された各係止受部１８に入れるように、遊技領域１ａが形成された面を前側にして遊技盤１を開口部１３１の前側から開口部１３１に対して斜めに挿入する。なお、係止受部１８の遊技盤の側端部側に形成された側壁１８ａは、他の部分の側壁に比べ低く形成されており、係止部材１３４の先端部を係止受部１８に入れやすくなっている。
【０１０９】
次に、係止部材１３４の先端部と係止受部１８の接点を軸として、遊技盤１を遊技機１００の後方側へ回動させながら開口部１３１に嵌め込む。この過程においては、係止受部１８の遊技盤１の側端部側に形成された側壁１８ａが、係止部材１３４の先端部と係合するので、係止部材１３４が係止受部１８から外れることなく容易に遊技盤１を回動させることができる。
【０１１０】
係止部材１３４はこの過程において、初めは先端部が前側に移動するように弾性変形し、遊技盤１を後方向へ付勢した状態となる。そして遊技盤１を回動させるのに伴い、弾性変形した状態から徐々に元の状態に戻ることとなる。しかし、上述したように、遊技盤１の係止受部１８が形成された部分の厚みは、係止部材１３４の先端部と規制壁１３３との間隔より厚いため、遊技盤１が開口部１３１に完全に嵌め込まれた状態では、係止部材１３４の先端部が係止受部１８を後方向に押圧した状態となる。すなわち、係止部材１３４は、常に遊技盤１を後方向に付勢した状態となる。
【０１１１】
また、遊技盤裏面の側端部であって、係止受部１８が形成された側の側端部は、遊技盤１を回動させる過程において、上述のように係止部材１３４によって後方向に付勢されることにより、規制壁１３３の前面に当接しながら、遊技機１００の左右方向に沿って開口部１３１の外側方向へ移動する。そして、この側端部に連続する遊技盤１の側面が、位置決め部材１３６の側面に当接したところで、この側端部の遊技盤１の左右方向に沿った移動が規制されるとともに、規制壁１３３の前面が遊技盤１の裏面と接した状態となって、遊技盤１が開口部１３１に完全に収容された状態となる。
【０１１２】
また、遊技盤裏面の側端部であって、係止受部１８が形成された側とは反対側の側端部は、遊技盤１を回動させる過程において位置決め部材１３６の斜辺に当接し、この斜辺に沿って開口部１３１の内側方向へ案内される。さらに遊技盤１の側端部は、斜辺に沿って斜辺の開口部１３１内側の端部まで案内されると、この斜辺に連続する位置決め部材１３６の側面に沿って遊技機１００の後方側へ案内される。そして、規制壁１３３の前面に遊技盤１の裏面が接したところで後方向への移動が規制されるとともに、この側端部に連続する遊技盤１の側面が、位置決め部材１３６の側端部に当接するようになって遊技盤１が開口部１３１に完全に収容された状態となる。
【０１１３】
また、遊技盤１の後方に突出する表示部構成部材１１の後端部１６は、遊技盤１を回動させる過程において、裏面構成部材１６０に設けられた表示ユニット１７０の前面に当接し、表示ユニット１７０の裏面に設けられた付勢手段としての圧縮コイルばね１８２の付勢力に抗して表示ユニット１７０を後方向へ押し込むこととなる。これに伴い、支持手段２２０は第１の支持部材２２２と第２の支持部材２２４が折りたたまれるようになって前後方向の伸張幅が狭くなり、表示ユニット１７０が後方向へ移動する。
また、このとき遊技盤１は、係止部材１３４が当接した部分を軸として回動するので、表示部構成部材１１の後端部１６のうち、この軸に近い側の後端部１６が先に表示ユニット１７０に当接する。表示ユニット１７０は、上述したように表示ユニット収納部１６８内で傾斜した状態となることが可能であり、かつ、圧縮コイルばね１８２が表示ユニット１７０の略中央を押圧していることから、容易に表示部構成部材１１の後端部１６が当接した側に力を逃がすことができる。よって表示ユニット１７０は、表示部構成部材１１の後端部１６が当接した側に設けられた支持手段２２０の伸張幅がより狭くなるように屈折することで、表示部構成部材１１の後端部１６が当接した側が後方向に押し込まれるように傾斜した状態（表示ユニット１７０が前面枠１２０（前面枠本体１３０）の左右方向と非平行状態）になり、この状態で後方向へ移動する。
【０１１４】
表示部構成部材１１の後端部１６は、遊技盤１の回動に伴い徐々に遊技機１００の左右方向に沿うようになり、遊技盤１が開口部１３１に完全に収容された状態では、遊技盤１の左右方向に平行な状態となる。また、表示ユニット１７０の傾斜も、この表示部構成部材１１の後端部１６の状態に追従して支持手段２２０の伸張幅が変化することで徐々に遊技機１００の左右方向に沿うようになる。そして、遊技盤１が開口部１３１に完全に収容された状態では、表示部構成部材１１の後端部１６に表示ユニット１７０の前面が面接触し、遊技盤１の左右方向に平行な状態となる。なお、遊技盤１を回動させる過程の当初は、表示部構成部材１１の後端部１６の傾きが表示ユニット１７０の傾斜可能な範囲より大きく、表示部構成部材１１の後端部１６の一部が当接した状態となるが、遊技盤１の回動に伴い、表示部構成部材１１の後端部１６の傾きが表示ユニット１７０の傾斜可能な範囲内になると、これ以降は表示部構成部材１１の後端部１６に表示ユニット１７０の前面が面接触した状態となる。
【０１１５】
図１１（ｂ）に示すように、遊技盤１が開口部１３１に完全に嵌め込まれたら、固定部材１３５の固定部１３５ｂを固定部材受部１９に当接するように回動させ遊技盤１を開口部１３１内に固定する。
遊技盤１が完全に開口部１３１に嵌め込まれた状態においては、遊技盤１の裏面側に規制壁１３３が当接し、係止部材１３４が係止受部１８を後方向に押圧することと、固定部材１３５が固定部材受部１９に当接することで遊技盤１の前後方向の移動が規制される。また、位置決め部材１３６の側端部が遊技盤１の側端部に接することで、遊技盤１の左右方向の移動が規制される。また、表示ユニット１７０は、付勢手段（圧縮コイルばね１８２）によって前側に付勢されているので、前面が表示部構成部材１１の後端部１６に密着した状態で保持される。そして、表示部構成部材１１により形成される表示部１２を介して、遊技盤１の前面から画像表示面１７１を見ることができるようになる。
【０１１６】
遊技盤１を開口部１３１に取り付けた後、遊技機１００の裏面側において、遊技盤１に設けられた第１制御回路としての演出ＲＯＭ基板３２と、裏面構成部材１６０に設けられた第２制御回路としての演出制御基板３３との接続を行う。この接続作業は、上述したように、演出制御基板３３が収容されたボックス３３ａを回路取付凹部２０３に収容するように、遊技機１００の前方向へ回動させて両基板のコネクタを接続し、固定部材３３ｄにより固定することで完了する。さらに、この他にも各基板や装置を配線により接続する。
以上で遊技盤１の取付作業が完了する。なお、遊技盤１を取り外すときは、上述の作業と逆の作業を行えばよい。
【０１１７】
以上のことから、前面枠１２０（前面枠本体１３０）の左右方向一方側に、遊技盤１を係止する係止部材１３４を配設する一方、他方側に該遊技盤１を固定する固定部材１３５を設けて、該遊技盤１を該前面枠１２０の前方側から装着するように構成して、該遊技盤１の一方端を係止部材１３４に係止させた状態で、他方端側を固定部材１３５で固定可能な位置まで後方に回動させることで、当該遊技盤１を前面枠１２０に装着するようにし、遊技盤１の装着時の動作に応じて、表示ユニット１７０が前面枠１２０の左右方向と非平行状態で変位可能としたたこととなる。
【０１１８】
遊技盤１の交換後、遊技機１００の電源を投入すると初期設定として、表示ユニット１７０の画像表示面１７１における画像表示領域１７１ａの更新が行われるようになっている。この画像表示領域１７１ａの更新とは、例えば、図１３（ａ）（ｂ）に示すように、遊技盤１の交換によって変更された表示部１２の大きさに合わせて、画像表示領域１７１ａを変更することである。
遊技盤１に取り付けられた演出ＲＯＭ基板３２には、該遊技盤１に取り付けられている表示部構成部材１１に形成された表示部１２の位置や大きさなどに関する情報が記憶されている。そして、演出制御基板３３において、この情報に基づいて新たな表示部１２に対応する画像表示領域１７１ａが設定されるようになっている。
【０１１９】
以上のように遊技盤１を交換可能であることで、容易に遊技機１００の遊技内容を変更することができる。また、この交換の際には、機種に依存する部材だけが交換されることとなるので、複数の機種で共通使用可能な部材を効率よく再利用できる。なお、遊技機の入れ替え時に遊技機全体を交換する場合には、表示ユニット１７０を収納した状態でユニット構成となっている裏面構成部材１６０をそのまま前面枠本体１３０から取り外し、新しい遊技機の前面枠１２０に取り付けることで表示ユニット１７０および裏面構成部材１６０に付属した基板、装置などを再利用することができる。
【０１２０】
なお、本実施形態の遊技機１００では、画像表示面１７１の大きさを遊技盤１の上側略半分を覆う程度の大きさとしたが、本発明はこれに限られるものではない。例えば、本実施形態のように、画像表示面１７１が遊技盤１における障害釘が植設される部位に延在するようにするものとしても、遊技盤裏面における基板の配設位置や、裏面構成部材１６０の構成を変更して、より大きな表示ユニット１７０を配設できるようにし、画像表示面１７１が遊技盤１と略同等の面積となるようにしても良い。すなわち、画像表示面１７１の大きさが、表示部１２の大きさが変化しても、それに対応できる大きさに設定されていれば良い。
【０１２１】
また、演出ＲＯＭ基板３２に画像表示領域１７１ａの大きさが予め設定されていて、遊技盤１を交換した際に、新たな表示部１２に対応した画像表示が行えるようにしているが、演出制御基板３３に画像表示領域１７１ａの大きさを調整する調整装置（ディップスイッチ等）を設けて、新たな遊技盤１の表示部１２に対応して画像表示領域１７１ａの大きさを調整するようにしてもよい。
また、演出制御基板３３に画像表示領域の左右方向および上下方向の位置を調整（微調整）する位置調整装置を備え、遊技盤１の装着後、画像表示領域１７１ａの位置を表示部１２に合うように調整できるようにしてもよい。
【０１２２】
また、表示部構成部材１１の縁部（表示部１２の周囲）であって、表示ユニット１７０によって裏面側が覆われる部分にレンズ部材を設け、表示ユニット１７０におけるレンズ部材の裏面側に対応した部位を発光させることで、表示部構成部材１１の縁部を発光装飾するようにしてもよい。このようにすることで、ランプ等を備える必要がなくなり、遊技機の構成を簡略化することができる。
また、表示部構成部材１１の縁部に、遊技領域１ａを流下する遊技球を受け入れるワープ入口と、該受け入れた遊技球を下方に流下させるワープ通路と、該ワープ通路を流下した遊技球を表示部構成部材１１の下部に形成されるステージ部１５に遊技球を導出するワープ出口とからなるワープ装置を備え、該ワープ装置の裏面側の全部、或いは一部も表示ユニット１７０で覆うようにして、表示ユニット１７０におけるレンズ部材の裏面側に対応した部位を発光させることで、ワープ装置を発光装飾するようにしてもよい。
【０１２３】
また、裏面構成部材１６０の所要部（背面部、側面部）に表示ユニット収納部１６８と外部とに連通する開口部を設け、該開口部に冷却ファンを設けて、表示ユニット収納部１６８の空気を外部に排出できるようにして、表示ユニット１７０或いは遊技盤１の電気的装置の過熱を防止するようにしてもよい。
また、裏面構成部材１６０に、表示ゲームを演出するメカ式の演出物とそれを駆動する駆動源（例えば、モータやソレノイド）を配設し、表示部構成部材１１に形成された開口部から演出物を出没可能に構成してもよい。
【０１２４】
また、遊技盤１を透明な合成樹脂で形成して、裏面側の表示ユニット１７０の画像を、遊技盤１を透して表示する（いわゆる全面液晶タイプ）ようにしても良い。この場合、表示ゲームを表示する所要領域は透明な遊技盤１の表面で形成されることとなる。なお、表示ユニット１７０を遊技盤１の遊技領域１ａと同等の大きさに設定することで、遊技領域１ａの（ほぼ）全体で画像表示を行うようにしてもよい。
そして、上記構成にする場合には、遊技盤１と表示ユニット１７０をなるべく近づけた方が画像表示を行う上で効果的であるが、そのようにすると、遊技盤１の裏面の突出部（例えば、障害釘や風車の保持部、役物装置の後端部、補強リブ等）が表示ユニット１７０に接触したり、或いは、遊技盤自体の厚さが変化して遊技盤自体の裏面が表示ユニット１７０に接触したりして、遊技盤１の装着に影響を与えたり、逆に遊技盤裏面と表示ユニット１７０との間に画像表示に影響を与えるような大きな隙間が形成されるおそれがあるが、本実施形態の遊技機１００においては、表示ユニット１７０が前後移動可能で、しかも前方に付勢されていることから、このような問題が発生しない。
【０１２５】
また、付勢手段としての圧縮コイルばね１８２を、表示ユニット１７０の裏面の略中央を押圧するように１個設ける構成としたが、ばねを所要部位に複数個（例えば、左右、上下に並列して）設けるようにしてもよい。また、ばねの種類は上述した圧縮コイルばね以外のものでもよいし、付勢力を有するものであれば、ばね以外でもよい。
さらに、付勢手段としての圧縮コイルばね１８２を、支持手段２２０と別体で設けるようにしているが、付勢手段と支持手段２２０を一体的に設けるようにしてもよい。例えば、各支持手段２２０の軸支部に、支持手段２２０の前後方向の伸張幅が広くなる方向に付勢するようなねじりコイルばねを各々設け、支持手段２２０自体で表示ユニット１７０を前方向に押圧するようにしてもよい。
【０１２６】
さらに、付勢手段として、例えば、表示ユニット１７０の左右の各々に固定部を形成して付勢部材としての引張コイルばねの一端を固定し、裏面構成部材１６０の表示ユニット１７０より前側となる位置であって、上記固定部の各々に対応する位置に、付勢部材の取付部を形成して引張コイルばねの他端を固定して、表示ユニット１７０を前方向に付勢するようにしても良い。すなわち、付勢手段は、表示ユニット１７０の前方側の中央からずれた位置に力が加わった場合でも、その力を、表示ユニット１７０を前面枠１２０の左右方向と非平行状態で変位させることで吸収できれば良い。
【０１２７】
また、本実施形態の遊技機１００では、表示部構成部材（センターケース）１１の後端部１６で、表示ユニット１７０を後方側に押圧するようにしているが、このようにした場合、画像表示面１７１の中央部分を押圧することから画像表示を行う領域に傷がついたり汚れが付着したりする可能性がある。これを避けるため、遊技盤１の裏面における周縁部に、表示ユニット１７０を押圧するための専用の押圧（突出）部材を突設し、表示ユニット１７０の周縁部であって画像表示を行わない（画像表示を行う可能性が低い）領域を押圧するようにしても良い。なお、押圧部材は、遊技盤１（遊技盤本体１０）の裏面に別体で取り付けられるもの（例えば、役物装置や入賞装置の裏面に備えても良い）でも良いし、遊技盤本体１０を合成樹脂で構成した場合には、遊技盤本体１０と一体的なものでも良い。また、押圧部材の後方側への寸法（突出幅）は、表示部構成部材１１の後方側への寸法よりもわずかに長いものが良い（表示部構成部材１１の後端部１６が、画像表示面１７１に傷等がつかない程度に接触するのであれば、ほぼ同じ寸法でも良い）。また、押圧部材は遊技盤１の周縁の四隅から突出するものが良い。
【０１２８】
以上のような遊技機１００は、遊技領域１ａを形成する遊技盤１を前面枠１２０（前面枠本体１３０）に対して着脱可能に配設し、該遊技盤前面の所要領域において遊技に関わる表示ゲームを表示するようにした遊技機１００であって、前面枠１２０における遊技盤１の後方位置に配設され、表示ゲームを実行する表示ユニット１７０と、表示ユニット１７０を前後に移動可能に前面枠１２０側に支持するとともに、遊技盤１を前面枠１２０に装着した際に該遊技盤１の裏面端部（後端部１６）と該表示ユニット１７０の表示面（画像表示面１７１）が当接するように当該表示ユニット１７０を支持する支持手段２２０と、表示ユニット１７０を前方側に付勢する付勢手段（圧縮コイルばね１８２）と、を備え、支持手段２２０は、前面枠１２０に設けられた上下方向の回動軸２２１ａに対して軸着された第１の支持部材２２２と、表示ユニット１７０に設けられた上下方向の回動軸２２３ａに対して軸着された第２の支持部材２２４と、を備えるとともに該第１の支持部材２２２と第２の支持部材２２４を回動可能に連結して構成され、支持手段２２０を少なくとも表示ユニット１７０の左右方向の側部を支持可能に複数設けている。
【０１２９】
従って、遊技盤１が前面枠１２０（前面枠本体１３０）に対し着脱可能であって、前面枠１２０における遊技盤１の後方位置に表示ユニット１７０を設けたので、遊技盤１を交換する場合でも、表示ユニット１７０は交換する必要がないので、表示ユニット１７０を新たな遊技盤１でも使用できるといった効果を奏する。また、遊技機の入れ替え時に遊技機全体を交換する場合でも、表示ユニット１７０は遊技盤１と別構成であるので、表示ユニット１７０を簡単に取り外せることから、表示ユニット１７０を再利用する際にも効果的である。
また、表示ユニット１７０の表示面（画像表示面１７１）の範囲内であれば、表示ゲームを表示する遊技盤前面の所要領域の面積が異なる遊技盤にも対応でき、多種の遊技盤を入れ替えることができる。
【０１３０】
また、表示ユニット１７０は支持手段２２０によって、前後移動可能に支持され、かつ、付勢手段（圧縮コイルばね１８２）によって前方側に付勢された状態となっているので、新たな遊技盤１を装着する際、或いは遊技盤１の装着後裏面構成部材１６０を閉鎖する際に、遊技盤１の形状（裏面の突出量）が変化しても、表示ユニット１７０の前後動でそれを吸収することができ、新たな遊技盤１が装着できなかったり、或いは裏面構成部材１６０を閉鎖できなかったりするといった課題を解決できる。
さらに支持手段２２０は、表示ユニット１７０の左右方向の側部を支持可能に複数設けられているので、表示ユニット１７０が前面枠１２０の左右方向と非平行状態で移動することも可能となり、遊技盤１の装着時等で押圧部が中央部位からずれた位置となった場合でもその力を吸収でき、何ら問題なく遊技盤１を装着できる。
また、前面枠１２０側に表示ユニット１７０を移動させるためのガイド等を設ける必要がなく、構成を簡略化できる。なお、前面枠１２０側に表示ユニット１７０を支持、案内するためのガイド等を設けてもよく、このようにすれば、表示ユニット１７０の前後移動がより容易かつ確実なものとなる。
【０１３１】
また、付勢手段として、付勢ばね（圧縮コイルばね１８２）を表示ユニット１７０の略中央部を押圧する位置に設けている。
【０１３２】
従って、付勢ばね（圧縮コイルばね１８２）を表示ユニット１７０の略中央部を押圧する位置に設けたことで、確実に表示ユニット１７０を付勢することができる。また、遊技盤１の装着時等で押圧部が中央部位からずれた位置となった場合でも、その力を左右方向に効率よく逃がすことができ何ら問題なく遊技盤１を装着できる。
【０１３３】
また、遊技盤１は、表示ゲームが表示される表示部１２を形成するための表示用開口部１３を有する遊技盤本体１０と、表示用開口部１３に挿入されて取り付けられるとともに表示部１２の周囲を装飾する装飾部２１が形成される表示部構成部材１１と、を設け、表示部構成部材１１の後端部１６は遊技盤本体１０の裏面よりも後方側に突出して構成されるとともに、当該後端部１６が表示ユニット１７０の前面に当接するようにしている。
【０１３４】
従って、表示部１２を形成する表示部構成部材１１の後端部１６が遊技盤本体１０の裏面よりも後方側に突出して構成されるとともに、当該後端部１６が表示ユニット１７０の前面に当接するので、表示画面の前側に筒状の空間を形成でき、例えば、ここに装飾を施したり遊技球を転動させるステージ部１５を形成したりすることができる。
なお、上述したように表示ユニット１７０が前後移動可能であることで遊技盤１の表示部構成部材１１の形状（大きさや後方突出量）がどのように変化しても、遊技盤１を前面枠１２０（前面枠本体１３０）に確実に装着することができるし、装着時にも表示部構成部材１１と表示ユニット１７０の画像表示面１７１との隙間をなくすことができる。特に、最近の遊技機においては、表示部構成部材１１に形成されるステージ部１５が遊技機の機種により様々に変化することが多く、このステージ部１５の変化により表示部構成部材１１が遊技盤１の後方側に突出する突出量が大きく変化する可能性がある。このような表示部構成部材１１の後方側突出量の変化に関しても何ら問題なく、対応することができる。
【０１３５】
また、前面枠１２０（前面枠本体１３０）の左右方向一方側に、遊技盤１を係止する係止部材１３４を配設する一方、他方側に該遊技盤１を固定する固定部材１３５を設けて、該遊技盤１を該前面枠１２０の前方側から装着するように構成して、該遊技盤１の一方端を係止部材１３４に係止させた状態で、他方端側を固定部材１３５で固定可能な位置まで後方に回動させることで、当該遊技盤１を前面枠１２０に装着するようにし、遊技盤１の装着時の動作に応じて、表示ユニット１７０が前面枠１２０の左右方向と非平行状態で変位可能としている。
【０１３６】
従って、遊技盤１の一方端を係止部材１３４に係止させた状態で、他方端側を固定部材１３５で固定可能な位置まで後方に回動させることで、当該遊技盤１を前記前面枠１２０に装着するようにしたことで、容易かつ確実に遊技盤１を前面枠１２０に装着することができる。
なお、このように遊技盤１の一端を先に係止して他端側を回動させるように装着する構成であると、装着時においては表示ユニット１７０の面に対して力（遊技盤裏面部からの力）が均等に加わらなかったり、遊技盤１の裏面部の後方側への突出量が更に大きくなったりする（装着時に一瞬だけ大きくなる）可能性があったり、押圧部が中央部からずれる可能性が高まったりする。しかし、上述のように表示ユニット１７０が前後移動可能であり、かつ、非平行状態で移動することも可能であることで、このような場合でも、何ら問題なく遊技盤１を装着することが可能となる。
【０１３７】
また、裏面構成部材１６０の裏面側には、表示ユニット１７０を駆動するための制御装置（演出制御基板３３）が設けられている。
【０１３８】
従って、裏面構成部材１６０の裏面側には、表示ユニット１７０を駆動するための制御装置が設けられていることで、裏面構成部材１６０に設けられた表示ユニット１７０に対して制御装置を効率よく配設することができる。
【０１３９】
次に、この発明の第２の実施形態について図１４を参照して説明する。
なお、本実施形態の遊技機１００は、基本的には第１の実施形態の遊技機１００と略同じ構成を有しており、以下、主に第１の実施形態の遊技機１００と相違する部分について説明する。
【０１４０】
本実施形態の遊技機１００は、前面枠本体１３０に形成された開口部１３１に対して、裏面側から遊技盤１を着脱可能に嵌め込んで固定するようになっている。そして、遊技盤１を裏面側から取り付ける構成とされた開口部１３１には、開口部１３１内の所定位置に遊技盤１を固定する部材として、規制壁１３３、後方押さえ部材１３７、位置決め部材１３６、固定部材（図示略）が設けられている。
【０１４１】
図１４に示すように、規制壁１３３は第１の実施形態の遊技機と同様に、開口部１３１の内側面に対して垂直に開口部１３１の中心方向に延出する板状の部材であるが、前面枠本体１３０の開口部１３１周囲の後端部より遊技盤１の厚みの分だけ前側に設けられている。すなわち、規制壁１３３は、遊技盤１の前面に当接し、遊技盤１の前方向への移動を規制するものとなっている。
なお、遊技盤１の前面に設けられた周囲構成部材１７の前面であって、規制壁１３３が当接する部分には凹部１７ａが形成されていて、遊技盤１を開口部１３１に収容した状態において、規制壁１３３がこの凹部１７ａに収容され、規制壁１３３の前面と周囲構成部材１７の前面とが略同一面となるようになっている。そして、このように遊技盤１が開口部１３１に収容された状態において、遊技盤１の裏面（遊技盤本体１０の裏面）が、前面枠本体１３０の開口部１３１周囲の後端部と略同じ前後位置に配されるように規制壁１３３の前後位置が設定されている。
【０１４２】
開口部１３１の左右にある規制壁１３３の裏面側には、遊技盤１の左右位置を決める位置決め部材１３６が設けられている。
位置決め部材１３６は、左右の規制壁にそれぞれ２つずつ設けられており、開口部１３１の上下方向の中央より上側に１つ、下側に１つ、開口部分を挟んで対向する一対の位置決め部材１３６，１３６がそれぞれ同じ上下位置になるように配されている。
【０１４３】
開口部１３１の左右に設けられた位置決め部材１３６のうち、裏面構成部材１６０が軸着された側の位置決め部材１３６は、矩形板状の部材であり、その板面が水平になるように、規制壁１３３の裏面と開口部１３１の内側面および後述する後方押さえ部材１３７の前面に接するように設けられている。なお、この位置決め部材１３６の開口部１３１の中心方向への突出幅は、規制壁１３３の突出幅よりも小さいものとなっている。
【０１４４】
また、開口部１３１の裏面構成部材１６０が軸着された側と対向する側に設けられた位置決め部材１３６は、第１の実施形態と同様に、長方形の１つの角が切り取られた形状をした板状の部材である。
この位置決め部材１３６は、その板面が水平になるように、規制壁１３３の裏面と開口部１３１の内側面に接し、角部が切り取られ斜辺となった部分が開口部１３１の内側かつ後側（遊技盤１が挿入される側）に配されるように設けられている。
【０１４５】
また、開口部１３１の開口部分を挟んで対向する位置決め部材１３６の側端部であって、開口部１３１の内側に位置する側端部間の間隔は、遊技盤１の左右幅と略同じとなっている。このような位置決め部材１３６によって、後述するように、遊技盤１の取付の際に、遊技盤１を開口部１３１の所定位置に案内することができるとともに、開口部１３１に完全に収容された遊技盤１の側面に当接して、遊技盤１の左右方向への移動を規制することができる。
【０１４６】
また、裏面構成部材１６０が軸着された側であって、前面枠本体１３０の開口部１３１周囲の後端部には、遊技盤１の後端部に当接する後方押さえ部材１３７が設けられている。
この後方押さえ部材１３７は板状の部材であって、規制壁１３３と同様に開口部１３１の内側面に対して垂直に開口部１３１の中心方向へ突出するように設けられている。規制壁１３３と後方押さえ部材１３７の板面は互いに平行になっており、また、開口部１３１の内面からの突出幅も同じ幅となっている。また、板状の後方押さえ部材１３７の前面であって、開口部１３１の中心側にある端部は、先端に向かって後方に傾斜する傾斜面となっている。
【０１４７】
以上のことから、開口部１３１の裏面構成部材１６０が軸着された側の内側面には、規制壁１３３と後方押さえ部材１３７および開口部１３１の内側面の一部とで、後述するように遊技盤１を開口部１３１に取り付ける際に、遊技盤１の一端部を挿入する挿入凹部１３８が形成されていることとなる。そして、この挿入凹部１３８内には、上述した遊技盤１の左右位置を決めるための位置決め部材１３６が設けられている。
【０１４８】
また、規制壁１３３の裏面には、所定箇所に第１の実施形態と同様の構成を有する固定部材（図示略）が設けられており、開口部１３１内に遊技盤１が固定されるようになっている。すなわち、固定部材は、開口部１３１内に収容された遊技盤１の裏面に当接する状態と、遊技盤１の裏面から退避した状態とに変換可能な固定部を有し、これによって遊技盤の固定と解除を行うことができるようになっている。
【０１４９】
本実施形態の遊技機１００では、上述のように開口部１３１の裏面側から遊技盤１を着脱する構成としたので、ヒンジ機構１３９を介して裏面構成部材１６０を軸支する取付部材１３２は、前面枠本体１３０の外側面であって開口部１３１の側方となる位置に設けられている。また、裏面構成部材１６０の本体部１６１の前面側から見て左側、すなわち、前面枠本体１３０に軸着される側に配されたガイド部１６２の側壁部１６２ａは、本体部の前面であって、表示ユニット配設部１６３よりも左側（周囲壁１６７、排出装置配設部１６４が形成された部分）を覆うことができる左右幅を有している。そして、このガイド部１６２の側壁部１６２ａが前面枠本体１３０に設けられた取付部材１３２に軸着されることで、裏面構成部材１６０が前面枠本体１３０に対して扉状に回動できるようになっている。また、裏面構成部材１６０の前面枠本体１３０に軸着されていない側の端部（開放端）は、前面枠本体１３０に対して、例えば、ねじやワンタッチ式の固定部材（図示略）で固定されるようになっており、容易に着脱できるようになっている。すなわち、前面枠本体１３０と裏面構成部材１６０の一側端を回動可能に連結するヒンジ機構１３９と、前面枠本体１３０と裏面構成部材１６０の他側端を固定する固定部材とが開閉機構をなす。
【０１５０】
次に、以上のように構成される遊技機１００における、遊技盤１の取付方法について説明する。なお、ここではすでに開口部１３１から古い遊技盤が取り外されており、また、裏面構成部材１６０は後方側に回動した状態（開放した状態）となっているものとする。
遊技盤１を取り付ける際には、まず、遊技盤１の前面側から見て左側の側端部を、遊技領域１ａが形成された面を前側にして、開口部１３１の後方側から挿入凹部１３８に斜めに挿入する。なお、挿入凹部１３８を形成する後方押さえ部材１３７の前面側の端部は傾斜面となっており、挿入凹部１３８に遊技盤１を入れやすくなっている。
【０１５１】
次に、挿入凹部１３８に挿入された部分を軸として、遊技盤１を遊技機１００の前方側に回動させながら開口部１３１に嵌め込む。この際、遊技盤１の挿入凹部１３８に挿入された側とは反対側の側端部が、位置決め部材１３６の斜辺に当接し、この斜辺に沿って開口部１３１の内側方向へ案内される。さらにこの側端部は、斜辺に沿って斜辺の開口部１３１内側の端部まで案内されると、斜辺に連続する位置決め部材１３６の側面に沿って遊技機１００の前方側へ案内される。そして、規制壁１３３の裏面に遊技盤１の前面が接したところで前方向への移動が規制されるとともに、この側端部に連続する遊技盤１の側面が、位置決め部材１３６の側端部に当接する。また、挿入凹部１３８に挿入された側の遊技盤１の側端部も、位置決め部材１３６の側端部に当接するようになり、遊技盤１が開口部１３１に完全に収容された状態となる。
【０１５２】
遊技盤１が開口部１３１に完全に嵌め込まれたら、固定部材の固定部を遊技盤の裏面に当接するように回動させ遊技盤１を開口部１３１内に固定する。
遊技盤１が完全に開口部１３１に嵌め込まれた状態においては、規制壁１３３が遊技盤１の前面に当接し、固定部材の固定部が遊技盤１の裏面に当接することで遊技盤１の前後方向の移動が規制される。また、位置決め部材１３６，１３６の側端部が遊技盤１の側端部に接することで、遊技盤１の左右方向の移動が規制される。
なお、左右の位置決め部材１３６，１３６の側端部間の寸法は、遊技盤１の左右方向の寸法よりも少しだけ大きくなっていることが望ましいが、この場合には遊技盤１の固定部材を、遊技盤１が左右に移動しないように固定できる構成とする（例えば、遊技盤１を左側に押圧して位置決め部材１３６の側端部に当接させることで、左右方向の移動を規制するような構成とする）。
【０１５３】
図１４（ａ）に示すように、遊技盤１を開口部１３１内に固定したら、裏面構成部材１６０を回動させ、表示ユニット１７０が遊技盤１の裏面側に配設されるようにする（裏面構成部材１６０を閉鎖する）。裏面構成部材１６０に設けられた表示ユニット１７０の前面は、裏面構成部材１６０を回動させる過程において、遊技盤１の後方に突出する表示部構成部材１１の後端部１６に当接する。しかし遊技盤１は、規制壁１３３によって前方向への移動が規制されているので、逆に表示ユニット１７０が遊技機１００の後方側へ押圧されることとなる。上述の実施形態で説明したように、表示ユニット１７０は、支持手段２２０によって裏面構成部材１６０に対し前後移動可能に支持され、かつ、付勢部材としての圧縮コイルばね１８２によって前方向に付勢された状態となっている。よって、表示ユニット１７０の前面が表示部構成部材１１の後端部１６に当接して後方に押圧されると、表示ユニット１７０は付勢部材としての圧縮コイルばね１８２の付勢力に抗して後方向へ押し込まれることとなる。これに伴い、支持手段２２０は第１の支持部材２２２と第２の支持部材２２４が折りたたまれるようになって前後方向の伸張幅が狭くなり、表示ユニット１７０が後方向へ移動する。なお、表示ユニット１７０の裏面の左右に設けられた支持手段２２０は、各々独立して折りたたまれる構成となっている。
【０１５４】
ここで、裏面構成部材１６０は、前面枠本体１３０に軸着された一側部を軸として回動するので、表示部構成部材１１の後端部１６のうち、この軸に近い側の後端部が先に表示ユニット１７０の前面に当接する。表示ユニット１７０は、第１の実施形態で説明したように、表示ユニット収納部１６８内で傾斜した状態（表示ユニット１７０が前面枠１２０（前面枠本体１３０）の左右方向と非平行状態）となることが可能であり、かつ、圧縮コイルばね１８２が表示ユニット１７０の略中央を押圧していることから、容易に表示部構成部材１１の後端部１６が当接した側に力を逃がすことができる。よって表示ユニット１７０は、表示部構成部材１１の後端部１６が当接した側に設けられた支持手段２２０の伸張幅がより狭くなるように屈折することで、表示部構成部材１１の後端部１６が当接した側が、より後ろ方向に押し込まれるように傾斜した状態で移動する。
【０１５５】
なお、第１の実施形態で説明したように、表示ユニット１７０が表示ユニット収納部１６８内で傾斜した状態とは、例えば、裏面構成部材１６０が遊技盤１の裏面に臨むように配した状態（裏面構成部材１６０を閉鎖した状態）で、表示ユニット１７０が前面枠１２０の左右方向と非平行な状態である。よって、本実施形態の遊技機１００のように、遊技盤１を取り付けた後に裏面構成部材１６０を閉鎖する構成において、裏面構成部材１６０の閉鎖時に表示ユニット１７０が表示ユニット収納部１６８内で傾斜した状態をより詳しく言えば、表示ユニット１７０が、裏面構成部材１６０の軸着部（ヒンジ機構１３９）を軸とした円の半径方向に対して非平行な状態と言える。さらに、この半径方向は裏面構成部材１６０の左右方向に沿った方向であり、このことから、表示ユニット１７０が裏面構成部材１６０の左右方向に対して非平行な状態と言うこともできる。
【０１５６】
裏面構成部材１６０は、回動させることで徐々に遊技機１００の左右方向に沿うようになり、図１４（ｂ）に示すように、裏面構成部材１６０が完全に遊技盤１の裏面側に配設された状態（裏面構成部材１６０を閉鎖した状態）では、遊技盤１の左右方向に平行な状態となる。また、表示ユニット１７０の傾斜も、裏面構成部材１６０を回動させることで徐々に遊技機１００の左右方向に沿うようになる。このように、裏面構成部材１６０が完全に遊技盤１の裏面側に配設された状態では、表示ユニット１７０の前面が表示部構成部材１１の後端部１６に面接触し、遊技盤１の左右方向に平行な状態となる。そして、裏面構成部材１６０の前面枠本体１３０に軸着されていない側の端部（開放端）を、図示しない固定部材によって前面枠本体１３０に固定することで、裏面構成部材１６０が遊技盤１の裏面側に配設された状態で固定される。
【０１５７】
なお、裏面構成部材１６０を回動させる過程の当初は、遊技機１００の左右方向に平行な表示部構成部材１１の後端部１６に対する裏面構成部材１６０の傾きが大きく、表示ユニット１７０の傾斜可能な範囲より大きいため、表示部構成部材１１の後端部１６の一部が表示ユニット１７０の前面に当接した状態となる。しかし、裏面構成部材１６０の回動に伴い、表示部構成部材１１の後端部１６に対する裏面構成部材１６０の傾きが表示ユニット１７０の傾斜可能な範囲内になると、これ以降は表示ユニット１７０の前面が表示部構成部材１１の後端部１６に面接触した状態となる。
【０１５８】
また、表示ユニット１７０は、付勢部材（圧縮コイルばね１８２）によって前側に付勢されているので、前面が表示部構成部材１１の後端部１６に密着した状態で保持される。そして、表示部構成部材１１により形成される表示部１２を介して、遊技盤１の前面から画像表示面１７１を見ることができるようになる。
【０１５９】
裏面構成部材１６０を遊技盤１の裏面側に配設した後、遊技機１００の裏面側において、遊技盤１に設けられた第１制御回路としての演出ＲＯＭ基板３２と、裏面構成部材１６０に設けられた第２制御回路としての演出制御基板３３との接続を行う。この接続作業は、第１の実施形態で説明したように、演出制御基板３３が収容されたボックス３３ａを回路取付凹部２０３に収容するように、遊技機１００の前方向へ回動させて両基板のコネクタを接続し、固定部材３３ｄにより固定することで完了する。さらに、この他にも各基板や装置を配線により接続する。
以上で遊技盤１の取付作業が完了する。なお、遊技盤１を取り外すときは、上述の作業と逆の作業を行えばよい。
【０１６０】
なお、ここでは、遊技盤１を前面枠１２０の後方から装着する構成としたが、第１の実施形態のように遊技盤１を前方から装着する構成としても良い。遊技盤１を前方から装着するタイプでも、メンテナンス等の場合に裏面構成部材１６０を開放することがあり、裏面構成部材１６０が上述したような機能を有することによって、作業が容易になる。
【０１６１】
以上のことから、前面枠１２０（前面枠本体１３０）は、当該前面枠１２０の裏面側に第１の支持部材２２２が軸着される回動軸２２１ａを有する裏面構成部材１６０を有し、裏面構成部材１６０は、前面枠１２０裏面の左右方向一側部に軸着される一方、他側部に着脱可能に固定されることで、該前面枠１２０に対して片開き形式で開閉可能に構成され、裏面構成部材１６０の閉鎖時の動作に応じて、表示ユニット１７０が裏面構成部材１６０の左右方向と非平行状態で変位可能としたこととなる。
【０１６２】
このように、遊技盤１を後方から装着する場合には、裏面構成部材１６０は遊技盤１の装着時に開放する必要がある。したがって裏面構成部材１６０の開閉機構は、遊技盤１を後方から装着する遊技機１００の場合には、遊技盤１の装着部（開口部１３１）を後方側に臨ませる機能を有していることとなる。
【０１６３】
なお、本実施形態の遊技機においても、第１の実施形態の遊技機と同様に、付勢手段としての圧縮コイルばね１８２を、表示ユニット１７０の裏面の略中央を押圧するように１個設ける構成としたが、ばねを所要部位に複数個（例えば、左右、上下に並列して）設けるようにしてもよい。また、ばねの種類は上述した圧縮コイルばね以外のものでもよいし、付勢力を有するものであれば、ばね以外でもよい。
さらに、付勢手段としての圧縮コイルばね１８２を、支持手段２２０と別体で設けるようにしているが、付勢手段と支持手段２２０を一体的に設けるようにしてもよい。例えば、各支持手段２２０の軸支部に、支持手段２２０の前後方向の伸張幅が広くなる方向に付勢するようなねじりコイルばねを各々設け、支持手段２２０自体で表示ユニット１７０を前方向に押圧するようにしてもよい。
【０１６４】
さらに、付勢手段として、例えば、表示ユニット１７０の左右の各々に固定部を形成して付勢部材としての引張コイルばねの一端を固定し、裏面構成部材１６０の表示ユニット１７０より前側となる位置であって、上記固定部の各々に対応する位置に、付勢部材の取付部を形成して引張コイルばねの他端を固定して、表示ユニット１７０を前方向に付勢するようにしても良い。すなわち、付勢手段は、表示ユニット１７０の前方側の中央からずれた位置に力が加わった場合でも、その力を、表示ユニット１７０を前面枠１２０の左右方向と非平行状態で変位させることで吸収できれば良い。
【０１６５】
以上のような第２の実施形態にかかる遊技機においては、前面枠１２０（前面枠本体１３０）は、当該前面枠１２０の裏面側に第１の支持部材２２２が軸着される回動軸２２１ａを有する裏面構成部材１６０を有し、裏面構成部材１６０は、前面枠１２０（前面枠本体１３０）裏面の左右方向一側部に軸着される一方、他側部に着脱可能に固定されることで、該前面枠１２０に対して片開き形式で開閉可能に構成され、裏面構成部材１６０の閉鎖時の動作に応じて、表示ユニット１７０が裏面構成部材１６０の左右方向と非平行状態で変位可能としている。
【０１６６】
従って、裏面構成部材１６０は、前面枠１２０に対して片開き形式で開閉可能に構成され、裏面構成部材１６０の閉鎖時の動作に応じて、表示ユニット１７０が裏面構成部材１６０の左右方向と非平行状態で変位可能であるので、何ら問題なく裏面構成部材１６０を閉鎖することができる。
ここで、表示ユニット１７０が裏面構成部材１６０の左右方向に平行状態でのみ変位可能であるとすると、裏面構成部材１６０の閉鎖時において、表示ユニット１７０の前方側の中央からずれた位置に力が加わった場合に、表示ユニット１７０をスライドさせるのに大きな力が必要となり、その大きな力により表示部構成部材１１や表示ユニット１７０が故障する虞がある。
特に、裏面構成部材１６０は、一側部が軸着された片開き形式であるため、これを閉鎖する際には、表示ユニット１７０の面に対して力（遊技盤裏面部からの力）が表示ユニット１７０の前方側の中央からずれた位置に加わる場合があるが、このような場合でも表示ユニット１７０は裏面構成部材１６０の左右方向と非平行状態で変位できるので、裏面構成部材１６０の閉鎖時に大きな力が必要となったり、閉鎖時に発生する力で遊技盤裏面の接触する部材や表示ユニット１７０が故障してしまったりするなどの問題が生じず、何ら問題なく裏面構成部材１６０を閉鎖することが可能となる。
【０１６７】
なお、本発明の遊技機は、遊技機として、第１、第２の実施形態に示されるようなパチンコ遊技機に限られるものではなく、例えば、その他のパチンコ遊技機、アレンジボール遊技機、雀球遊技機などの遊技球を使用する全ての遊技機に適用可能である。
【０１６８】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１６９】
【図１】本発明を適用した遊技機の前面側を示す斜視図である。
【図２】図１の状態からガラス枠を開放し、遊技盤を取り外した状態を示す遊技機の前面側を示す斜視図である。
【図３】遊技機の裏面側を示す斜視図である。
【図４】機枠を取り外した遊技機の裏面側を示す斜視図であって、演出制御基板が収納されたボックスを回動させた状態を示す図である。
【図５】図３の状態から裏面構成部材を回動させた状態を示す遊技機の裏面側を示す斜視図である。
【図６】遊技機の前面枠本体と裏面構成部材の裏面側を示す斜視図である。
【図７】遊技機の裏面構成部材の前面側を示す斜視図である。
【図８】図７に示す裏面構成部材の前面側を示す斜視図であって、表示ユニットを取り外した状態を示す図である。
【図９】図７に示す裏面構成部材の前面側から見た分解斜視図である。
【図１０】図７に示す裏面構成部材の裏面側から見た分解斜視図である。
【図１１】遊技機の上部断面図であって、（ａ）遊技機に遊技盤を取り付ける途中を示す図、（ｂ）遊技機に遊技盤を取り付けた状態を示す図である。
【図１２】遊技機の制御系を示すブロック図である。
【図１３】遊技機の画像表示面における画像表示領域と表示部の関係を示す図である。
【図１４】第２の実施形態にかかる遊技機の上部断面図であって、（ａ）遊技盤の裏面側に裏面構成部材を配設する途中を示す図、（ｂ）遊技盤の裏面側に裏面構成部材を配設した状態を示す図である。
【符号の説明】
【０１７０】
１        遊技盤
１ａ      遊技領域
１０      遊技盤本体
１１      表示部構成部材
１２      表示部
１３      表示用開口部
１６      後端部
２１      装飾部
３０      主制御基板（主制御回路）
３２      演出ＲＯＭ基板（第１制御回路）
３３      演出制御基板（第２制御回路、制御装置）
１００    遊技機
１２０    前面枠
１３０    前面枠本体
１３１    開口部（遊技盤収容部）
１６０    裏面構成部材（前面枠）
１６８    表示ユニット収納部
１７０    表示ユニット
１７１    画像表示面
１８１    付勢部材取付部
１８２    圧縮コイルばね（付勢部材、付勢ばね）
２０２    開口部
２１０    補助表示部構成部材
２２０    支持手段
２２１    第１固定部材
２２１ａ  回動軸
２２２    第１の支持部材
２２３    第２固定部材
２２３ａ  回動軸
２２４    第２の支持部材
２２５    回動軸
【図１】
2006231021.tif 000003
【図２】
2006231021.tif 000004
【図３】
2006231021.tif 000005
【図４】
2006231021.tif 000006
【図５】
2006231021.tif 000007
【図６】
2006231021.tif 000008
【図７】
2006231021.tif 000009
【図８】
2006231021.tif 000010
【図９】
2006231021.tif 000011
【図１０】
2006231021.tif 000012
【図１１】
2006231021.tif 000013
【図１２】
2006231021.tif 000014
【図１３】
2006231021.tif 000015
【図１４】
2006231021.tif 000016